(57)【要約】  本発明は、通信分野に関し、ウェアラブルデバイスが、UEにアクセスし、そして、そのUEを使用することによって、ネットワーク側との間でデータ送信を実行する、ことを可能とするアクセス方法、基地局、及びデバイスを提供する。その方法は、ネットワーク側デバイスが送信した第1のメッセージを基地局によって受信するステップであって、第1のメッセージは、第2のデバイスに対してページングを行うように基地局に指示するのに使用される、ステップと、ページング機会を決定するステップであって、ページング機会は、第1のデバイスのページング機会及び/又は第2のデバイスのページング機会である、ステップと、ページング機会において第2のメッセージを送信するステップと、を含み、第2のメッセージは、第2のデバイスの識別子を搬送し、それによって、第1のデバイスは、第2のメッセージに基づいて、第2のデバイスに第3のメッセージを送信し、そして、第3のメッセージに基づいて、第2のデバイスへの接続を確立する。
2019525594.tif 000002
【特許請求の範囲】
【請求項１】
メッセージ伝送方法であって、
ネットワーク側デバイスが送信した第1のメッセージを基地局によって受信するステップであって、前記第1のメッセージは、第2のデバイスに対してページングを行うように前記基地局に指示するのに使用される、ステップと、
前記基地局によって、ページング機会を決定するステップであって、前記ページング機会は、第1のデバイスのページング機会及び/又は前記第2のデバイスのページング機会である、ステップと、
前記基地局によって、前記ページング機会において第2のメッセージを送信するステップと、を含み、前記第2のメッセージは、前記第2のデバイスの識別子を搬送し、それによって、前記第1のデバイスは、前記第2のメッセージに基づいて、前記第2のデバイスに第3のメッセージを送信し、そして、前記第3のメッセージに基づいて、前記第2のデバイスへの接続を確立する、
方法。
【請求項２】
前記ページング機会が、前記第1のデバイスの前記ページング機会及び前記第2のデバイスの前記ページング機会である場合に、
前記基地局によって、前記ページング機会において第2のメッセージを送信する前記ステップは、特に、
前記基地局によって、前記第1のデバイスの前記ページング機会において第1のページングメッセージを送信するステップであって、前記第1のページングメッセージは、前記第1のデバイスに対してページングを行うのに使用され、前記第1のページングメッセージは、前記第2のデバイスの前記識別子を搬送する、ステップと、前記第2のデバイスの前記ページング機会において第2のページングメッセージを送信するステップと、を含み、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスの前記識別子に基づいて、前記第2のデバイスに前記第3のメッセージを送信し、そして、前記第3のメッセージに基づいて、前記第2のデバイスへの前記接続を確立する、請求項1に記載の方法。
【請求項３】
前記ページング機会が前記第2のデバイスの前記ページング機会である場合に、
前記基地局によって、前記ページング機会において第2のメッセージを送信する前記ステップは、特に、
前記基地局によって、前記第2のデバイスの前記ページング機会において第2のページングメッセージを送信するステップを含み、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスに前記第3のメッセージを送信し、そして、前記第3のメッセージに基づいて、前記第2のデバイスへの前記接続を確立する、請求項1に記載の方法。
【請求項４】
前記ページング機会が前記第1のデバイスの前記ページング機会である場合に、
前記基地局によって、前記ページング機会において第2のメッセージを送信する前記ステップは、特に、
前記基地局によって、前記第1のデバイスの前記ページング機会において第2のページングメッセージを送信するステップを含み、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスに前記第3のメッセージを送信し、そして、前記第3のメッセージに基づいて、前記第2のデバイスへの前記接続を確立する、請求項1に記載の方法。
【請求項５】
前記基地局によって、ページング機会を決定する前記ステップは、特に、
前記基地局によって、前記第1のデバイスの識別子に基づいて、前記第1のデバイスの前記ページング機会を算出するステップ、及び/又は、
前記基地局によって、前記第2のデバイスの前記識別子に基づいて、前記第2のデバイスの前記ページング機会を算出するステップ、を含む、請求項1乃至4のうちのいずれか1項に記載の方法。
【請求項６】
アクセス方法であって、
基地局が送信した第2のメッセージを第1のデバイスによって受信するステップであって、前記第2のメッセージは、第2のデバイスの識別子を搬送する、ステップと、
前記第2のデバイスに対してページングが行われるということを、前記第2のメッセージの中で搬送される前記第2のデバイスの前記識別子に基づいて、前記第1のデバイスによって決定するステップと、
前記第1のデバイスによって前記第2のデバイスに第3のメッセージを送信して、前記第3のメッセージに基づいて前記第2のデバイスへの接続を確立するステップと、を含む、
方法。
【請求項７】
基地局が送信した第2のメッセージを第1のデバイスによって受信する前記ステップは、
前記第1のデバイスによって、前記第1のデバイスのページング機会において第1のページングメッセージを受信するステップを含み、前記第1のページングメッセージは、前記第1のデバイスに対してページングを行うのに使用され、前記第1のページングメッセージは、前記第2のデバイスの前記識別子を搬送する、請求項6に記載の方法。
【請求項８】
前記第2のデバイスに対してページングが行われるということを、前記ページングメッセージに基づいて、前記第1のデバイスによって決定する前記ステップは、
前記第2のデバイスに対してページングが行われるということを、前記第1のページングメッセージの中で搬送される前記第2のデバイスの前記識別子に基づいて、前記第1のデバイスによって決定するステップを含む、請求項7に記載の方法。
【請求項９】
基地局が送信した第2のメッセージを第1のデバイスによって受信する前記ステップは、
前記第1のデバイスによって、前記第2のデバイスのページング機会において第2のページングメッセージを受信するステップを含み、前記第2のページングメッセージは、前記第2のデバイスに対してページングを行うのに使用され、前記第2のページングメッセージは、前記第2のデバイスの前記識別子を搬送する、請求項6に記載の方法。
【請求項１０】
前記第2のデバイスに対してページングが行われるということを、前記ページングメッセージに基づいて、前記第1のデバイスによって決定する前記ステップは、
前記第2のデバイスに対してページングが行われるということを、前記第2のページングメッセージの中で搬送される前記第2のデバイスの前記識別子に基づいて、前記第1のデバイスによって決定するステップを含む、請求項9に記載の方法。
【請求項１１】
基地局が送信した第2のメッセージを第1のデバイスによって受信する前記ステップは、
前記第1のデバイスによって、前記第1のデバイスのページング機会において第2のページングメッセージを受信するステップを含み、前記第2のページングメッセージは、前記第2のデバイスに対してページングを行うのに使用され、前記第2のページングメッセージは、前記第2のデバイスの前記識別子を搬送する、請求項6に記載の方法。
【請求項１２】
前記第2のデバイスに対してページングが行われるということを、前記ページングメッセージに基づいて、前記第1のデバイスによって決定する前記ステップは、
前記第2のデバイスに対してページングが行われるということを、前記第2のページングメッセージの中で搬送される前記第2のデバイスの前記識別子に基づいて、前記第1のデバイスによって決定するステップを含む、請求項11に記載の方法。
【請求項１３】
前記第1のデバイスによって前記第2のデバイスに第3のメッセージを送信する前記ステップは、
前記第1のデバイスによって、第3のメッセージを送信する時間点を算出し、前記第3のメッセージを送信する時間点において、前記第2のデバイスに前記第3のメッセージを送信するステップ、又は、
前記第1のデバイスによって、メッセージを送信する時間長を算出し、前記メッセージを送信する時間長の中で、前記第2のデバイスに前記第3のメッセージを送信するステップ、又は、
前記第1のデバイスによって前記第2のデバイスに前記第3のメッセージを送信し、前記第2のデバイスからフィードバックメッセージを受信する場合には、前記第2のデバイスへの前記第3のメッセージの送信を停止するステップ、を含む、請求項6乃至12のうちのいずれか1項に記載の方法。
【請求項１４】
基地局であって、
ネットワーク側デバイスが送信した第1のメッセージを受信するように構成される受信ユニットであって、前記第1のメッセージは、第2のデバイスに対してページングを行うように当該基地局に指示するのに使用される、受信ユニットと、
ページング機会を決定するように構成される決定ユニットであって、前記ページング機会は、第1のデバイスのページング機会及び/又は前記第2のデバイスのページング機会である、決定ユニットと、
前記ページング機会において第2のメッセージを送信するように構成される送信ユニットと、を含み、前記第2のメッセージは、前記第2のデバイスの識別子を搬送し、それによって、前記第1のデバイスは、前記第2のメッセージに基づいて、前記第2のデバイスに第3のメッセージを送信し、そして、前記第3のメッセージに基づいて、前記第2のデバイスへの接続を確立する、
基地局。
【請求項１５】
前記ページング機会が、前記第1のデバイスの前記ページング機会及び前記第2のデバイスの前記ページング機会である場合に、
前記送信ユニットは、特に、前記第1のデバイスの前記ページング機会において第1のページングメッセージを送信するように構成され、前記第1のページングメッセージは、前記第1のデバイスに対してページングを行うのに使用され、前記第1のページングメッセージは、前記第2のデバイスの前記識別子を搬送し、
前記第2のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスの前記識別子に基づいて、前記第2のデバイスに前記第3のメッセージを送信し、そして、前記第3のメッセージに基づいて、前記第2のデバイスへの前記接続を確立する、請求項14に記載の基地局。
【請求項１６】
前記ページング機会が前記第2のデバイスの前記ページング機会である場合に、
前記送信ユニットは、特に、前記第2のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスに前記第3のメッセージを送信し、そして、前記第3のメッセージに基づいて、前記第2のデバイスへの前記接続を確立する、請求項14に記載の基地局。
【請求項１７】
前記ページング機会が前記第1のデバイスの前記ページング機会である場合に、
前記送信ユニットは、特に、前記第1のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスに前記第3のメッセージを送信し、そして、前記第3のメッセージに基づいて、前記第2のデバイスへの前記接続を確立する、請求項14に記載の基地局。
【請求項１８】
前記決定ユニットは、特に、前記第1のデバイスの識別子に基づいて、前記第1のデバイスの前記ページング機会を算出し、及び/又は、
前記第2のデバイスの前記識別子に基づいて、前記第2のデバイスの前記ページング機会を算出する、ように構成される、請求項14乃至17のうちのいずれか1項に記載の基地局。
【請求項１９】
第1のデバイスであって、
基地局が送信した第2のメッセージを受信するように構成される受信ユニットであって、前記第2のメッセージは、第2のデバイスの識別子を搬送する、受信ユニットと、
前記第2のデバイスに対してページングが行われるということを、前記第2のメッセージの中で搬送される前記第2のデバイスの前記識別子に基づいて決定するように構成される決定ユニットと、
前記第2のデバイスに第3のメッセージを送信して、前記第3のメッセージに基づいて前記第2のデバイスへの接続を確立するように構成される送信ユニットと、を含む、
第1のデバイス。
【請求項２０】
前記受信ユニットは、特に、
前記第1のデバイスのページング機会において第1のページングメッセージを受信するように構成され、前記第1のページングメッセージは、前記第1のデバイスに対してページングを行うのに使用され、前記第1のページングメッセージは、前記第2のデバイスの前記識別子を搬送する、請求項19に記載の第1のデバイス。
【請求項２１】
前記決定ユニットは、特に、前記第2のデバイスに対してページングが行われるということを、前記第1のページングメッセージの中で搬送される前記第2のデバイスの前記識別子に基づいて決定するように構成される、請求項20に記載の第1のデバイス。
【請求項２２】
前記受信ユニットは、特に、前記第2のデバイスのページング機会において第2のページングメッセージを受信するように構成され、前記第2のページングメッセージは、前記第2のデバイスに対してページングを行うのに使用され、前記第2のページングメッセージは、前記第2のデバイスの前記識別子を搬送する、請求項19に記載の第1のデバイス。
【請求項２３】
前記決定ユニットは、特に、前記第2のデバイスに対してページングが行われるということを、前記第2のページングメッセージの中で搬送される前記第2のデバイスの前記識別子に基づいて決定するように構成される、請求項22に記載の第1のデバイス。
【請求項２４】
前記受信ユニットは、特に、前記第1のデバイスのページング機会において第2のページングメッセージを受信するように構成され、前記第2のページングメッセージは、前記第2のデバイスに対してページングを行うのに使用され、前記第2のページングメッセージは、前記第2のデバイスの前記識別子を搬送する、請求項19に記載の第1のデバイス。
【請求項２５】
前記決定ユニットは、特に、前記第2のデバイスに対してページングが行われるということを、前記第2のページングメッセージの中で搬送される前記第2のデバイスの前記識別子に基づいて決定するように構成される、請求項24に記載の第1のデバイス。
【請求項２６】
演算ユニットをさらに含み、
前記演算ユニットは、第3のメッセージを送信する時間点を算出するように構成され、そして、
前記送信ユニットは、前記第3のメッセージを送信する時間点において、前記第2のデバイスに前記第3のメッセージを送信するように構成されるか、又は、
前記演算ユニットは、メッセージを送信する時間長を算出するように構成され、そして、
前記送信ユニットは、前記メッセージを送信する時間長の中で、前記第2のデバイスに前記第3のメッセージを送信するように構成されるか、又は、
前記送信ユニットは、前記第2のデバイスに前記第3のメッセージを送信し、そして、前記受信ユニットが前記第2のデバイスからフィードバックメッセージを受信する場合には、前記第2のデバイスへの前記第3のメッセージの送信を停止する、ように構成される、請求項19乃至25のうちのいずれか1項に記載の第1のデバイス。
【発明の詳細な説明】
【技術分野】
【０００１】
本発明は、通信分野に関し、特に、アクセス方法、基地局、及びデバイスに関する。
【背景技術】
【０００２】
D2D(device  to  device,  デバイストゥデバイス)中継リンクにおいては、第1のデバイスを使用することによって、第2のデバイスをネットワークに接続してもよい。その第2のデバイスは、例えば、ウェアラブルデバイス等の低性能デバイスであってもよい。第1のデバイスは、例えば、高性能スマートフォン等の高性能デバイスであってもよい。そのスマートフォンを使用することによって、ウェアラブルデバイスをネットワークに接続することが可能である。本明細書でいうスマートフォンを中継ノードとして使用して、そのウェアラブルデバイスがネットワークにアクセスするのを支援することが可能であり、それにより、そのウェアラブルデバイスの電力消費を低減する。
【０００３】
例えば、将来的に、人間は、さまざまなインテリジェントウェアラブルデバイスを身に付ける可能性がある。したがって、各々の第1のデバイスを複数の第2のデバイスに接続してもよく、第1のデバイスを中継器として使用することによって、それらの複数の第2のデバイスをネットワークに接続することを可能としてもよい。したがって、ウェアラブルデバイスによってUE(第1のデバイス)にアクセスする解決方法を研究する必要がある。
【発明の概要】
【０００４】
本発明の複数の実施形態は、ウェアラブルデバイスが、UEにアクセスして、そのUEを使用することによって、ネットワーク側との間でデータ伝送を実行することを可能とするアクセス方法、基地局、及びデバイスを提供する。
【０００５】
本発明のそれらの複数の実施形態の中で以下の複数の技術的解決方法を使用して、上記の目的を達成する。
【０００６】
第1の態様によれば、ある1つのアクセス方法が開示され、D2D中継システムに適用される。そのD2D中継システムは、基地局、少なくとも1つの第1のデバイス、及び第1のデバイスと対を構成する少なくとも1つの第2のデバイスを含む。その方法は、
ネットワーク側デバイスが送信した第1のメッセージを前記基地局によって受信するステップであって、前記第1のメッセージは、そのメッセージを受信した後に、第2のデバイスに対してページングを行う手順を開始するように前記基地局に指示するのに使用される、ステップと、さらに、前記基地局によって、ページング機会を決定するステップであって、前記ページング機会は、前記第1のデバイスのページング機会及び/又は前記第2のデバイスのページング機会である、ステップと、最後に、前記基地局によって、前記ページング機会において第2のメッセージを送信するステップと、を含み、前記第2のメッセージは、前記第2のデバイスの識別子を搬送し、それによって、前記第1のデバイスは、前記第2のデバイスの前記識別子に基づいて、前記第2のデバイスに第3のメッセージを送信して、前記第3のメッセージに基づいて、前記第2のデバイスへの接続を確立することが可能である。
【０００７】
本発明にしたがって提供されるアクセス方法においては、第2のデバイスへのダウンリンクデータの送信が必要となるときに、ネットワーク側デバイスは、基地局を使用することによって、第2のデバイスに対するページングを開始してもよく、基地局は、第1のデバイスのページング機会及び/又は第2のデバイスのページング機会において、第2のメッセージを送信する。さらに、第1のデバイスは、第2のデバイスに対してページングが行われるということを、第2のメッセージの中で搬送される第2のデバイスの識別子に基づいて決定し、そして、第2のデバイスに第3のメッセージを送信してもよい。第3のメッセージを受信した後に、第2のデバイスは、第3のメッセージに基づいて、第1のデバイスと同期し、第1のデバイスを識別し、そして、最後に、第1のデバイスへの接続を確立してもよい。その後、ネットワーク側デバイスは、第2のデバイスに送信することが必要であるダウンリンクデータを第1のデバイスに送信してもよく、第1のデバイスは、そのダウンリンクデータを第2のデバイスへと中継する。上記の手順は、ウェアラブルデバイス(第2のデバイス)がUEにアクセスするのを可能とする。D2Dのシナリオにおいて、ウェアラブルデバイスは、そのUEを中継器として使用することによって、ネットワーク側との間でデータ伝送を実行することが可能である。
【０００８】
第1の態様に関して、第1の態様の第1の可能な実装において、前記ページング機会が、前記第1のデバイスの前記ページング機会及び前記第2のデバイスの前記ページング機会である場合に、前記基地局によって、前記ページング機会において第2のメッセージを送信する前記ステップは、特に、前記基地局によって、前記第1のデバイスの前記ページング機会において第1のページングメッセージを送信するステップと、前記第2のデバイスの前記ページング機会において第2のページングメッセージを送信するステップと、を含み、それによって、前記第1のデバイスは、前記第1のデバイスの前記ページング機会において、前記第1のページングメッセージを受信し、前記第2のデバイスに対してページングが行われるということを、前記第1のページングメッセージの中にある前記第2のデバイスの前記識別子に基づいて決定し、そして、前記第2のデバイスに前記第3のメッセージを送信して、前記第3のメッセージに基づいて、前記第2のデバイスへの前記接続を確立する。前記第1のページングメッセージは、前記第1のデバイスに対してページングを行うのに使用され、前記第2のデバイスの前記識別子を搬送する。前記第2のページングメッセージは、前記第2のデバイスに対してページングを行うのに使用され、前記第2のデバイスの前記識別子を搬送する。もちろん、前記第2のデバイスは、また、前記第2のデバイスの前記ページング機会において目覚めて、前記第2のページングメッセージを受信し、そして、前記第2のデバイスに対してページングが行われるということを、前記第2のページングメッセージの中で搬送される前記第2のデバイスの前記識別子に基づいて決定する。
【０００９】
第1の実装においては、第2のメッセージは、第1のページングメッセージ及び第2のページングメッセージである、すなわち、基地局は、第1のデバイス及び第2のデバイスに対してページングを行ってもよい。第1のデバイスが受信する第1のページングメッセージは、第2のデバイスの識別子を搬送する。したがって、第1のデバイスは、第2のデバイスに対してページングが行われるということを、基地局のページングメッセージに基づいて決定してもよい。この手法においては、第1のデバイスは、第2のデバイスに第3のメッセージを送信して、第1のデバイスと第2のデバイスとの間の接続を確立する。
【００１０】
第1の態様に関して、第1の態様の第2の可能な実装において、前記ページング機会が前記第2のデバイスの前記ページング機会である場合に、前記基地局によって、前記ページング機会において第2のメッセージを送信する前記ステップは、特に、前記基地局によって、前記第2のデバイスの前記ページング機会において第2のページングメッセージを送信するステップを含み、前記第2のページングメッセージは、前記第2のデバイスに対してページングを行うのに使用され、前記第2のデバイスの前記識別子を搬送し、それによって、前記第1のデバイスは、前記第2のデバイスの前記ページング機会において前記第2のページングメッセージを受信した後に、前記第2のデバイスに対してページングが行われるということを決定し、そして、前記第2のデバイスに前記第3のメッセージを送信して、前記第3のメッセージに基づいて、前記第2のデバイスへの前記接続を確立する。
【００１１】
第2の実装においては、第2のメッセージは、第2のページングメッセージである。基地局は、第2のデバイスのページング機会において、第2のデバイスに対してのみページングを行う。一方で、第1のデバイスは、第2のデバイスの識別子に基づいて、第2のデバイスのページング機会を算出してもよい。さらに、第1のデバイスは、第2のデバイスのページング機会において、基地局のページングメッセージを受信し、そして、第2のデバイスに対してページングが行われるということをそのページングメッセージに基づいて決定してもよい。この手法においては、第1のデバイスは、第2のデバイスに第3のメッセージを送信し、それによって、第1のデバイス及び第2のデバイスは、接続を確立する。
【００１２】
第1の態様に関して、第1の態様の第3の可能な実装において、前記ページング機会が前記第1のデバイスの前記ページング機会である場合に、前記基地局によって、前記ページング機会において第2のメッセージを送信する前記ステップは、特に、前記基地局によって、前記第1のデバイスの前記ページング機会において第2のページングメッセージを送信するステップを含み、前記第2のページングメッセージは、前記第2のデバイスに対してページングを行うのに使用され、前記第2のデバイスの前記識別子を搬送し、それによって、前記第1のデバイスは、前記第1のデバイスの前記ページング機会において前記第2のページングメッセージを検出し、前記第2のデバイスに対してページングが行われるということを、前記第2のページングメッセージの中で搬送される前記第2のデバイスの前記識別子に基づいて決定し、そして、前記第2のデバイスに前記第3のメッセージを送信して、前記第3のメッセージに基づいて、前記第2のデバイスへの前記接続を確立する。
【００１３】
第3の実装においては、第2のメッセージは、第2のページングメッセージである。基地局は、第1のデバイスのページング機会において、第2のデバイスに対してのみページングを行う。さらに、第1のデバイスは、第1のデバイスのページング機会において、基地局のページングメッセージを受信し、そして、第2のデバイスに対してページングが行われるということをそのページングメッセージに基づいて決定してもよい。この手法においては、第1のデバイスは、第2のデバイスに第3のメッセージを送信し、それによって、第1のデバイス及び第2のデバイスは、接続を確立する。
【００１４】
第1の態様又は第1の態様の第1乃至第3の可能な実装のうちのいずれか1つに関して、第1の態様の第4の可能な実装において、
前記基地局によって、ページング機会を決定する前記ステップは、特に、前記基地局によって、前記第1のデバイスの識別子に基づいて、前記第1のデバイスの前記ページング機会を算出するステップ、及び/又は、前記基地局によって、前記第2のデバイスの前記識別子に基づいて、前記第2のデバイスの前記ページング機会を算出するステップ、を含む。
【００１５】
第2の態様によれば、ある1つのアクセス方法が開示され、D2D中継システムに適用される。そのD2D中継システムは、基地局、少なくとも1つの第1のデバイス、及び第1のデバイスと対を構成する少なくとも1つの第2のデバイスを含む。その方法は、
前記基地局が送信した第2のメッセージを前記第1のデバイスによって受信するステップであって、前記第2のメッセージは、前記第2のデバイスの識別子を搬送する、ステップと、次に、前記第2のデバイスに対してページングが行われるということを、前記第2のメッセージの中で搬送される前記第2のデバイスの前記識別子に基づいて、前記第1のデバイスによって決定するステップと、その次に、前記第2のデバイスに第3のメッセージを送信して、前記第3のメッセージに基づいて前記第2のデバイスへの接続を確立するステップと、を含む。
【００１６】
第2の態様に関して、第2の態様の第1の可能な実装において、基地局が送信した第2のメッセージを前記第1のデバイスによって受信する前記ステップは、前記第1のデバイスによって、前記第1のデバイスのページング機会において第1のページングメッセージを受信するステップを含み、前記第1のページングメッセージは、前記第1のデバイスに対してページングを行うのに使用され、前記第1のページングメッセージは、前記第2のデバイスの前記識別子を搬送し、前記第1のページングメッセージは、前記第1のデバイスの前記ページング機会において前記基地局によって送信される。
【００１７】
さらに、第1のデバイスは、第2のデバイスに対してページングが行われるということを、第1のページングメッセージの中で搬送される第2のデバイスの識別子に基づいて決定する。
【００１８】
第2の態様に関して、第2の態様の第2の可能な実装において、前記基地局が送信した第2のメッセージを前記第1のデバイスによって受信する前記ステップは、前記第1のデバイスによって、前記第2のデバイスのページング機会において第2のページングメッセージを受信するステップを含み、前記第2のページングメッセージは、前記第2のデバイスに対してページングを行うのに使用され、前記第2のデバイスの前記識別子を搬送し、前記第2のページングメッセージは、前記第2のデバイスの前記ページング機会において前記基地局によって送信される。
【００１９】
さらに、第1のデバイスは、第2のデバイスに対してページングが行われるということを、第2のページングメッセージの中で搬送される第2のデバイスの識別子に基づいて決定する。
【００２０】
第2の態様に関して、第2の態様の第3の可能な実装において、前記基地局が送信した第2のメッセージを前記第1のデバイスによって受信する前記ステップは、前記第1のデバイスによって、前記第1のデバイスのページング機会において第2のページングメッセージを受信するステップを含み、前記第2のページングメッセージは、前記第2のデバイスに対してページングを行うのに使用され、前記第2のデバイスの前記識別子を搬送し、前記第2のページングメッセージは、前記第1のデバイスの前記ページング機会において前記基地局によって送信される。加えて、前記第2のデバイスは、前記第1のデバイスの前記ページング機会を算出し、前記第1のデバイスの前記ページング機会において目覚めて、前記第2のページングメッセージを受信し、そして、前記第2のデバイスに対してページングが行われるということを、前記第2のページングメッセージの中で搬送される前記第2のデバイスの前記識別子に基づいて決定する。
【００２１】
さらに、第1のデバイスは、第2のデバイスに対してページングが行われるということを、第2のページングメッセージの中で搬送される第2のデバイスの識別子に基づいて決定する。
【００２２】
第2の態様又は第1の態様の第1乃至第3の可能な実装のうちのいずれか1つに関して、第2の態様の第4の可能な実装において、前記第1のデバイスによって前記第2のデバイスに第3のメッセージを送信する前記ステップは、
前記第1のデバイスによって、第3のメッセージを送信する時間点を算出し、前記第3のメッセージを送信する時間点において、前記第2のデバイスに前記第3のメッセージを送信するステップ、又は、前記第1のデバイスによって、メッセージを送信する時間長を算出し、前記メッセージを送信する時間長の中で、前記第2のデバイスに前記第3のメッセージを連続的に送信するステップ、すなわち、ある時間期間の中で、前記第2のデバイスに前記第3のメッセージを連続的に送信するステップ、又は、前記第2のメッセージ(前記第1のデバイスが受信する前記第2のメッセージは、前記第1のページングメッセージ又は前記第2のページングメッセージである)を受信した後に、前記第1のデバイスによって前記第2のデバイスに前記第3のメッセージを送信し、前記第2のデバイスからフィードバックメッセージを受信する場合には、前記第2のデバイスへの前記第3のメッセージの送信を停止するステップ、を含む。
【００２３】
第3の態様によれば、ある1つの基地局が開示される。その基地局は、
ネットワーク側デバイスが送信した第1のメッセージを受信するように構成される受信ユニットであって、前記第1のメッセージは、第2のデバイスに対してページングを行うように当該基地局に指示するのに使用される、受信ユニットと、ページング機会を決定するように構成される決定ユニットであって、前記ページング機会は、第1のデバイスのページング機会及び/又は前記第2のデバイスのページング機会である、決定ユニットと、前記ページング機会において第2のメッセージを送信するように構成される送信ユニットと、を含み、前記第2のメッセージは、前記第2のデバイスの識別子を搬送し、それによって、前記第1のデバイスは、前記第2のメッセージに基づいて、前記第2のデバイスに第3のメッセージを送信し、そして、前記第3のメッセージに基づいて、前記第2のデバイスへの接続を確立する。
【００２４】
第3の態様に関して、第3の態様の第1の可能な実装において、前記ページング機会が、前記第1のデバイスの前記ページング機会及び前記第2のデバイスの前記ページング機会である場合に、前記送信ユニットは、特に、前記第1のデバイスの前記ページング機会において第1のページングメッセージを送信するように構成され、前記第1のページングメッセージは、前記第1のデバイスに対してページングを行うのに使用され、前記第1のページングメッセージは、前記第2のデバイスの前記識別子を搬送し、前記第2のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスの前記識別子に基づいて、前記第2のデバイスに前記第3のメッセージを送信し、そして、前記第3のメッセージに基づいて、前記第2のデバイスへの前記接続を確立する。
【００２５】
第3の態様に関して、第3の態様の第2の可能な実装において、前記ページング機会が前記第2のデバイスの前記ページング機会である場合に、前記送信ユニットは、特に、前記第2のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスの前記ページング機会において前記第2のページングメッセージを受信し、その後、前記第1のデバイスは、前記第2のページングメッセージに基づいて、前記第2のデバイスに前記第3のメッセージを送信し、そして、前記第3のメッセージに基づいて、前記第2のデバイスへの前記接続を確立する。
【００２６】
第3の態様に関して、第3の態様の第3の可能な実装において、前記ページング機会が前記第1のデバイスの前記ページング機会である場合に、前記送信ユニットは、特に、前記第1のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスに前記第3のメッセージを送信し、そして、前記第3のメッセージに基づいて、前記第2のデバイスへの前記接続を確立する。
【００２７】
第3の態様又は第3の態様の第1乃至第3の可能な実装のうちのいずれか1つに関して、第3の態様の第4の可能な実装において、前記決定ユニットは、特に、前記第1のデバイスの識別子に基づいて、前記第1のデバイスの前記ページング機会を算出し、及び/又は、前記第2のデバイスの前記識別子に基づいて、前記第2のデバイスの前記ページング機会を算出する、ように構成される。
【００２８】
第4の態様によれば、ある1つの第1のデバイスが開示される。その第1のデバイスは、
基地局が送信した第2のメッセージを受信するように構成される受信ユニットであって、前記第2のメッセージは、第2のデバイスの識別子を搬送する、受信ユニットと、前記第2のデバイスに対してページングが行われるということを、前記第2のメッセージの中で搬送される前記第2のデバイスの前記識別子に基づいて決定するように構成される決定ユニットと、前記第2のデバイスに第3のメッセージを送信して、前記第3のメッセージに基づいて前記第2のデバイスへの接続を確立するように構成される送信ユニットと、を含む。
【００２９】
第4の態様に関して、第4の態様の第1の可能な実装において、前記受信ユニットは、特に、前記第1のデバイスのページング機会において第1のページングメッセージを受信するように構成され、前記第1のページングメッセージは、前記第1のデバイスに対してページングを行うのに使用され、前記第1のページングメッセージは、前記第2のデバイスの前記識別子を搬送する。
【００３０】
第4の態様の第1の可能な実装に関して、第4の態様の第2の可能な実装において、前記決定ユニットは、特に、前記第2のデバイスに対してページングが行われるということを、前記第1のページングメッセージの中で搬送される前記第2のデバイスの前記識別子に基づいて決定するように構成される。
【００３１】
第4の態様に関して、第4の態様の第3の可能な実装において、前記受信ユニットは、特に、前記第2のデバイスのページング機会において第2のページングメッセージを受信するように構成され、前記第2のページングメッセージは、前記第2のデバイスに対してページングを行うのに使用され、前記第2のページングメッセージは、前記第2のデバイスの前記識別子を搬送する。
【００３２】
第4の態様の第3の可能な実装に関して、第4の態様の第4の可能な実装において、前記決定ユニットは、特に、前記第2のデバイスに対してページングが行われるということを、前記第2のページングメッセージの中で搬送される前記第2のデバイスの前記識別子に基づいて決定するように構成される。
【００３３】
第4の態様に関して、第4の態様の第5の可能な実装において、前記受信ユニットは、特に、前記第1のデバイスのページング機会において第2のページングメッセージを受信するように構成され、前記第2のページングメッセージは、前記第2のデバイスに対してページングを行うのに使用され、前記第2のページングメッセージは、前記第2のデバイスの前記識別子を搬送する。
【００３４】
第4の態様の第5の可能な実装に関して、第4の態様の第6の可能な実装において、前記決定ユニットは、特に、前記第2のデバイスに対してページングが行われるということを、前記第2のページングメッセージの中で搬送される前記第2のデバイスの前記識別子に基づいて決定するように構成される。
【００３５】
第4の態様又は第4の態様の第1乃至第6の可能な実装のうちのいずれか1つに関して、第4の態様の第7の可能な実装において、当該第1のデバイスは、演算ユニットをさらに含み、
前記演算ユニットは、第3のメッセージを送信する時間点を算出するように構成され、そして、前記送信ユニットは、前記第3のメッセージを送信する時間点において、前記第2のデバイスに前記第3のメッセージを送信するように構成されるか、又は、前記演算ユニットは、メッセージを送信する時間長を算出するように構成され、そして、前記送信ユニットは、前記メッセージを送信する時間長の中で、前記第2のデバイスに前記第3のメッセージを送信するように構成されるか、又は、前記送信ユニットは、前記第2のデバイスに前記第3のメッセージを送信し、そして、前記受信ユニットが前記第2のデバイスからフィードバックメッセージを受信する場合には、前記第2のデバイスへの前記第3のメッセージの送信を停止する、ように構成される。
【００３６】
第5の態様によれば、ある1つの基地局が開示される。その基地局は、
ネットワーク側デバイスが送信した第1のメッセージを受信するように構成されるトランシーバーであって、前記第1のメッセージは、第2のデバイスに対してページングを行うように当該基地局に指示するのに使用される、トランシーバーと、ページング機会を決定するように構成されるプロセッサであって、前記ページング機会は、第1のデバイスのページング機会及び/又は前記第2のデバイスのページング機会である、プロセッサと、前記ページング機会において第2のメッセージを送信するように構成されるトランシーバーと、を含み、前記第2のメッセージは、前記第2のデバイスの識別子を搬送し、それによって、前記第1のデバイスは、前記第2のメッセージに基づいて、前記第2のデバイスに第3のメッセージを送信し、そして、前記第3のメッセージに基づいて、前記第2のデバイスへの接続を確立する。
【００３７】
第5の態様に関して、第5の態様の第1の可能な実装において、前記ページング機会が、前記第1のデバイスの前記ページング機会及び前記第2のデバイスの前記ページング機会である場合に、前記トランシーバーは、特に、前記第1のデバイスの前記ページング機会において第1のページングメッセージを送信するように構成され、前記第1のページングメッセージは、前記第1のデバイスに対してページングを行うのに使用され、前記第1のページングメッセージは、前記第2のデバイスの前記識別子を搬送し、前記第2のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスの前記識別子に基づいて、前記第2のデバイスに前記第3のメッセージを送信し、そして、前記第3のメッセージに基づいて、前記第2のデバイスへの前記接続を確立する。
【００３８】
第5の態様に関して、第5の態様の第2の可能な実装において、前記ページング機会が前記第2のデバイスの前記ページング機会である場合に、前記トランシーバーは、特に、前記第2のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスに前記第3のメッセージを送信し、そして、前記第3のメッセージに基づいて、前記第2のデバイスへの前記接続を確立する。
【００３９】
第5の態様に関して、第5の態様の第3の可能な実装において、前記ページング機会が前記第1のデバイスの前記ページング機会である場合に、前記トランシーバーは、特に、前記第1のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスに前記第3のメッセージを送信し、そして、前記第3のメッセージに基づいて、前記第2のデバイスへの前記接続を確立する。
【００４０】
第5の態様又は第5の態様の第1乃至第3の可能な実装のうちのいずれか1つに関して、第5の態様の第4の可能な実装において、前記プロセッサは、特に、前記第1のデバイスの識別子に基づいて、前記第1のデバイスの前記ページング機会を算出し、及び/又は、前記第2のデバイスの前記識別子に基づいて、前記第2のデバイスの前記ページング機会を算出する、ように構成される。
【００４１】
第6の態様によれば、ある1つの第1のデバイスが開示される。その第1のデバイスは、
基地局が送信した第2のメッセージを受信するように構成されるトランシーバーであって、前記第2のメッセージは、第2のデバイスの識別子を搬送する、トランシーバーと、前記第2のデバイスに対してページングが行われるということを、前記第2のメッセージの中で搬送される前記第2のデバイスの前記識別子に基づいて決定するように構成されるプロセッサと、前記第2のデバイスに第3のメッセージを送信して、前記第3のメッセージに基づいて前記第2のデバイスへの接続を確立するように構成されるトランシーバーと、を含む。
【００４２】
第6の態様に関して、第6の態様の第1の可能な実装において、前記トランシーバーは、特に、前記第1のデバイスのページング機会において第1のページングメッセージを受信するように構成され、前記第1のページングメッセージは、前記第1のデバイスに対してページングを行うのに使用され、前記第1のページングメッセージは、前記第2のデバイスの前記識別子を搬送する。
【００４３】
第6の態様の第1の可能な実装に関して、第6の態様の第2の可能な実装において、前記プロセッサは、特に、前記第2のデバイスに対してページングが行われるということを、前記第1のページングメッセージの中で搬送される前記第2のデバイスの前記識別子に基づいて決定するように構成される。
【００４４】
第6の態様に関して、第6の態様の第3の可能な実装において、前記トランシーバーは、特に、前記第2のデバイスのページング機会において第2のページングメッセージを受信するように構成され、前記第2のページングメッセージは、前記第2のデバイスに対してページングを行うのに使用され、前記第2のページングメッセージは、前記第2のデバイスの前記識別子を搬送する。
【００４５】
第6の態様の第3の可能な実装に関して、第6の態様の第4の可能な実装において、前記プロセッサは、特に、前記第2のデバイスに対してページングが行われるということを、前記第2のページングメッセージの中で搬送される前記第2のデバイスの前記識別子に基づいて決定するように構成される。
【００４６】
第6の態様に関して、第6の態様の第5の可能な実装において、前記トランシーバーは、特に、前記第1のデバイスのページング機会において第2のページングメッセージを受信するように構成され、前記第2のページングメッセージは、前記第2のデバイスに対してページングを行うのに使用され、前記第2のページングメッセージは、前記第2のデバイスの前記識別子を搬送する。
【００４７】
第6の態様の第5の可能な実装に関して、第6の態様の第6の可能な実装において、前記プロセッサは、特に、前記第2のデバイスに対してページングが行われるということを、前記第2のページングメッセージの中で搬送される前記第2のデバイスの前記識別子に基づいて決定するように構成される。
【００４８】
第6の態様又は第6の態様の第1乃至第6の可能な実装のうちのいずれか1つに関して、第6の態様の第7の可能な実装において、
前記プロセッサは、第3のメッセージを送信する時間点を算出するように構成され、そして、前記トランシーバーは、前記第3のメッセージを送信する時間点において、前記第2のデバイスに前記第3のメッセージを送信するように構成されるか、又は、前記プロセッサは、メッセージを送信する時間長を算出するように構成され、そして、前記トランシーバーは、前記メッセージを送信する時間長の中で、前記第2のデバイスに前記第3のメッセージを送信するように構成されるか、又は、前記トランシーバーは、前記第2のデバイスに前記第3のメッセージを送信し、そして、前記トランシーバーが前記第2のデバイスからフィードバックメッセージを受信する場合には、前記第2のデバイスへの前記第3のメッセージの送信を停止する、ように構成される。
【図面の簡単な説明】
【００４９】
本発明の複数の実施形態にしたがった又は従来技術にしたがった複数の技術的解決方法をより明確に説明するために、以下の記載は、それらの複数の実施形態又は従来技術を説明するのに必要となる複数の添付の図面を簡潔に説明する。明らかなことではあるが、以下の説明の中の複数の添付の図面は、本発明の複数の実施形態のうちのいくつかを示しているにすぎず、当業者は、さらに、創造的な努力を行うことなく、これらの複数の添付の図面から他の図面を導き出すことが可能である。
【００５０】
【図１】PF及びPOのフレーム構造の概略的な図である。
【図２】本発明のある1つの実施形態にしたがった中継システムのアーキテクチャ図である。
【図３】本発明のある1つの実施形態にしたがったアクセス方法の概略的なフローチャートである。
【図４】本発明のある1つの実施形態にしたがってWDに対してページングを行う時間シーケンスの概略的な図である。
【図５】本発明のある1つの実施形態にしたがってUEによって第3のメッセージを送信する方法の概略的な図である。
【図６】本発明のある1つの実施形態にしたがってWDに対してページングを行う時間シーケンスの他の概略的な図である。
【図７】本発明のある1つの実施形態にしたがってWDに対してページングを行う時間シーケンスの他の概略的な図である。
【図８】本発明のある1つの実施形態にしたがった基地局の構造的なブロック図である。
【図９】本発明のある1つの実施形態にしたがった基地局の他の構造的なブロック図である。
【図１０】本発明のある1つの実施形態にしたがった第1のデバイスの構造的なブロック図である。
【図１１】本発明のある1つの実施形態にしたがった第1のデバイスの他の構造的なブロック図である。
【発明を実施するための形態】
【００５１】
以下の記載は、本発明の複数の実施形態にしたがった複数の添付の図面を参照して、本発明の複数の実施形態にしたがった複数の技術的解決方法を明確かつ完全に説明する。明らかなことではあるが、それらの説明される実施形態は、本発明のそれらの複数の実施形態のすべてではなく一部にすぎない。創造的な努力を行うことなく本発明の複数の実施形態に基づいて当業者が得ることが可能であるすべての他の実施形態は、本発明の保護範囲に属するものとする。
【００５２】
D2D中継リンクにおいては、第1のデバイスを使用することによって、第2のデバイスをネットワークに接続してもよい。
【００５３】
通常は、第2のデバイスは、小さな体積、小さなバッテリー容量、及び低い無線周波数能力を有している。したがって、第2のデバイスのスタンバイ時間を長くするためには、その第2のデバイスが消費する電力を低減する必要がある。第1のデバイスは、高性能デバイスであり、中継ノードとして使用されて、低性能デバイスがネットワークに接続するのを支援してもよく、それにより、第2のデバイスの電力消費を低減する。
【００５４】
特定の実装の間、第2のデバイスは、ウェアラブルデバイス(Wearable  Device,  WD)であってもよく、第1のデバイスは、スマートフォン等のユーザ機器(User  Equipment,  UE)であってもよい。UEは、複数のWDを中継してもよい。
【００５５】
将来的に、人間は、さまざまなインテリジェントウェアラブルデバイスを身に付ける。データを伝送し、或いは、音声電話サービスを確立するためには、これらのデバイスをネットワークに接続する必要がある。スマートフォンを中継器として使用することによって、これらのウェアラブルデバイスをネットワークに接続してもよい。例えば、ウェアラブルデバイスは、携帯電話を使用することによって、ネットワークに血圧及び心拍数等の健康データをアップロードしてもよい。
【００５６】
したがって、ウェアラブルデバイスによってUEにアクセスする方法を研究する必要がある。加えて、基地局又は携帯電話によってウェアラブルデバイスに対してページングを行う解決方法及びページングを受信した後にそのウェアラブルデバイスによってそのUEにアクセスする解決方法も同様に研究する必要がある。
【００５７】
本発明は、ネットワーク側によってウェアラブルデバイスに対してページングを行う手順を提供する。具体的には、基地局は、UE(第1のデバイス)のページング機会及び/又はウェアラブルデバイス(第2のデバイス)のページング機会において、ウェアラブルデバイスに対してページングを行ってもよい。ウェアラブルデバイスに対してページングが行われるということを決定した後に、そのUEは、そのウェアラブルデバイスにある特定のメッセージを送信する。そのメッセージを受信した後に、そのウェアラブルデバイスは、そのメッセージに基づいてUEを識別し、そして、そのUEへの接続を確立してもよい。
【００５８】
最初に、本発明における複数の技術用語が、以下のように説明される。
【００５９】
(1)  ページング
ブロードキャストするのとは異なり、ページングは、対象を絞った方式によって一部のデバイスに送信されるpaging(ページング)メッセージをいう。
【００６０】
例えば、ネットワーク側が、ECM-IDLE状態(すなわち、アイドル状態)にあるUEにダウンリンクデータを送信する必要があるときに、MME(Mobility  Management  Entity,  移動性管理エンティティ)は、UEが登録するすべてのTA(Tracking  Areas)の中にあるすべてのeNodeBにページングメッセージを送信する。その後、そのeNodeBは、無線インターフェイスを使用することによってUEにページングメッセージを送信して、そのUEに対してページングを行う。UEがRRC_IDLE状態(すなわち、アイドル状態)にある場合には、そのページングメッセージを受信した後に、そのUEは、RRC接続確立プロセスを開始して、呼を受信してもよい。
【００６１】
(2)  ページング機会
通常、(例えば、UE等の)デバイスの不連続受信サイクル(Discontinuous  Reception,  DRX)の中の(PFと称される)ある特定のサブフレームにおいて、そのUEは、そのPFの(POと称される)ある特定のサブフレームの中でページングメッセージを受信するように試みる。POは、無線フレーム(すなわち、PF)の中でページングメッセージを送信し/受信するためのサブフレームの番号をいう。本明細書にいうPOは、ページング機会である。
【００６２】
PFは、LTE無線インターフェイスを介してページングを送信するための無線フレームの番号を指し、無線フレームであるということに留意すべきである。例えば、図1に示されているように、PFは、1つ又は複数のPOを含んでもよい。PF及びPOは、共に、LTE無線インターフェイスのページング機会、すなわち、そのUEが、DRXにおいてアイドル状態から目覚めて、ページングを受信する機会を構成する。
【００６３】
本発明のある1つの実施形態は、中継システムを提供する。例えば、図2に示されているように、その中継システムは、基地局、少なくとも1つの第1のデバイス、及び、その第1のデバイスと対を構成する少なくとも1つの第2のデバイスを含む。その第1のデバイスは、その基地局との間で直接的にデータ伝送を実行してもよい。その第2のデバイスは、その第1のデバイスを使用することによって、ネットワークにアクセスして、その第1のデバイスを中継器として使用することによって、その基地局との間でデータ伝送を実装してもよい。その基地局は、eNB(E-UTRAN  NodeB)であってもよく、その第1のデバイスは、UEであってもよく、そして、そのUEと対を構成するその第2のデバイスは、WD1及びWD2であってもよい。
【００６４】
さらに、本発明のある1つの実施形態は、アクセス方法を提供する。その方法においては、第1のデバイス及び第2のデバイスは、対にされ、他方のデバイスの識別子(ID)を記録する。加えて、第1のデバイスは、RRC_IDLE状態にある。図3に示されているように、その方法は、以下のステップを含む。
【００６５】
S1:  基地局は、ネットワーク側デバイスが送信した第1のメッセージを受信する。
【００６６】
特定の実装の間、第1のメッセージは、その第2のデバイスに対してページングを行うようにその基地局に指示するのに使用される。例えば、MMEがその第2のデバイスにダウンリンクデータを送信する必要があるとき等、そのネットワーク側デバイス(MME)が、その第2のデバイスに対してページングを行う必要があるとき、そのMMEは、第1のデバイスに第1のメッセージを送信して、全体的なページングプロセスを開始する。
【００６７】
第1のメッセージは、また、ページングメッセージでもあり、そのネットワーク側デバイスが第2のデバイスにダウンリンクデータを送信する必要があるということを示すのに使用されるということに留意すべきである。そのメッセージを受信した後に、その基地局は、第2のデバイスに対してページングを行う手順を開始する。
【００６８】
S2:  基地局は、ページング機会を決定し、そのページング機会は、第1のデバイスのページング機会及び/又は第2のデバイスのページング機会である。
【００６９】
特定の実装の間、基地局は、第1のデバイスの識別子及びその第1のデバイスのパラメータに基づいて、その第1のデバイスのページング機会を算出し、及び/又は、
基地局は、第2のデバイスの識別子及びその第2のデバイスのパラメータに基づいて、その第2のデバイスのページング機会を算出する。
【００７０】
具体的には、PFは、式(a)、すなわち、
SFN  mod  T＝(T  div  N)＊(UE_ID  mod  N)    (a)
を満たすシステムフレームである。POは、インデックスi_sを使用することによって、表1(PF/PO式のパラメータ説明テーブル)を検索することによって取得されてもよい。i_sは、式(b)、すなわち、
i_s＝floor(UE_ID/N)  mod  Ns    (b)
を使用することによって取得される。UEごとに、PFは、第2のメッセージ(paging)を送信するのに使用されるシステムフレームであり、POは、そのPFの中でページングを送信するのに使用されるサブフレームである。
【表１】
2019525594.tif 000003
【００７１】
T  div  Nは、1つのDRXサイクルがN個の部分に等しく分割された後の、各々の部分の中のシステムフレームの数に相当するということに留意すべきである。UE_ID  mod  Nは、それらのN個の部分の中の(UE_ID  mod  N)番目の部分に相当する((UE_ID  mod  N)の値は、0からN−1にまで及ぶ)。PFは、その(UE_ID  mod  N)番目の部分の中の最初のシステムフレームである。
【００７２】
S3:  基地局は、そのページング機会において第2のメッセージを送信し、その第2のメッセージは、第2のデバイスの識別子を搬送する。
【００７３】
特定の実装の間、基地局は、以下の3つの方式にしたがって第2のメッセージを送信してもよい。
【００７４】
第1に、そのページング機会が、第1のデバイスのページング機会及び第2のデバイスのページング機会である場合に、
基地局は、第1のデバイスのページング機会において第1のページングメッセージを送信し、第2のデバイスのページング機会において第2のページングメッセージを送信し、それによって、第1のデバイスは、第1のデバイスのページング機会において第1のページングメッセージを受信した後に、第2のデバイスに対してページングが実行されるということを、第2のデバイスの識別子に基づいて決定し、そして、第2のデバイスに第3のメッセージを送信して、第3のメッセージに基づいて、第2のデバイスへの接続を確立する。
【００７５】
第1のページングメッセージは、第1のデバイスに対してページングを行うのに使用され、第1のページングメッセージは、第2のデバイスの識別子を搬送する。第2のページングメッセージは、第2のデバイスに対してページングを実行するのに使用され、第2のデバイスの識別子を搬送する。
【００７６】
第2に、ページング機会が第2のデバイスのページング機会である場合に、
基地局は、第2のデバイスのページング機会において第2のページングメッセージを送信し、第2のページングメッセージは、第2のデバイスに対してページングを行うのに使用され、第2のデバイスの識別子を搬送し、それによって、第1のデバイスは、第2のデバイスのページング機会において第2のページングメッセージを受信した後に、第2のデバイスに対してページングが行われるということを決定し、そして、第2のデバイスに第3のメッセージを送信して、第3のメッセージに基づいて、第2のデバイスへの接続を確立する。
【００７７】
第3に、ページング機会が第1のデバイスのページング機会である場合に、
基地局によって、ページング機会において第2のメッセージを送信することは、特に、
基地局によって、第1のデバイスのページング機会において第2のページングメッセージを送信することを含み、第2のページングメッセージは、第2のデバイスに対してページングを行うのに使用され、第2のデバイスの識別子を搬送し、それによって、第1のデバイスは、第2のデバイスに対してページングが行われるということを、第1のデバイスのページング機会において検出し、そして、第2のデバイスに第3のメッセージを送信して、第3のメッセージに基づいて、第2のデバイスへの前記接続を確立する。
【００７８】
S4:  第1のデバイスは、基地局が送信した第2のメッセージを受信する。
【００７９】
基地局によって第2のメッセージを送信する上記の3つの方式に対して、本明細書においては、同様に、第1のデバイスによって第2のメッセージを受信する3つの方式が存在する。
【００８０】
第1に、第1のデバイスは、第1のデバイスのページング機会において第1のページングメッセージを受信し、第1のページングメッセージは、第1のデバイスに対してページングを行うのに使用され、第1のページングメッセージは、第2のデバイスの識別子を搬送する。
【００８１】
第2に、第1のデバイスは、第2のデバイスのページング機会において第2のページングメッセージを受信し、第2のページングメッセージは、第2のデバイスに対してページングを行うのに使用される。
【００８２】
第3に、第1のデバイスは、第1のデバイスのページング機会において第2のページングメッセージを受信し、第2のページングメッセージは、第2のデバイスに対してページングを行うのに使用される。
【００８３】
S5:  第1のデバイスは、第2のデバイスに対してページングが行われるということを、そのページングメッセージに基づいて決定する。
【００８４】
受信したページングメッセージが異なる場合には、第2のデバイスに対してページングが行われるということを決定する特定の方法は、それ対応して異なる。具体的には、その方法は、
第2のデバイスに対してページングが行われるということを、第1のページングメッセージの中で搬送される第2のデバイスの識別子に基づいて、第1のデバイスによって決定するステップ、又は、
第2のデバイスに対してページングが行われるということを、第2のページングメッセージの中で搬送される第2のデバイスの識別子に基づいて、第1のデバイスによって決定するステップ、を含む。
【００８５】
S6:  第1のデバイスは、第2のデバイスに第3のメッセージを送信して、第3のメッセージに基づいて、第2のデバイスへの接続を確立する。
【００８６】
特定の実装の間、
第1のデバイスによって、第3のメッセージを送信する時間点を算出し、そして、第3のメッセージを送信する時間点において、第2のデバイスに第3のメッセージを送信する方式、又は、
第1のデバイスによって、メッセージを送信する時間長を算出し、そして、メッセージを送信する時間長の中で、第2のデバイスに第3のメッセージを送信する方式、又は、
第1のデバイスによって第2のデバイスに第3のメッセージを送信し、そして、第2のデバイスからフィードバックメッセージを受信する場合には、第2のデバイスへの第3のメッセージの送信を停止する方式、という、第1のデバイスによって第2のデバイスに第3のメッセージを送信する3つの方式が存在する。
【００８７】
第1のデバイスは、第2のデバイスに第3のメッセージを送信する。第3のメッセージを受信した後に、第2のデバイスは、第1のデバイスと同期し、第1のデバイスについての測定を行って第1のデバイスを識別し、そして、第1のデバイスを使用することによってネットワークにアクセスする。加えて、第2のデバイスと第1のデバイスとの間の接続は、NFCC(近距離通信)接続であってもよい。したがって、第2のデバイスの電力消費を低減させることが可能であるとともに、第2のデバイスの送信速度を改善することが可能である。
【００８８】
実施形態1
【００８９】
本発明のある1つの実施形態は、アクセス方法を提供する。eNodeBは、UE(第1のデバイス)と直接的に対話することが可能であり、WD(第2のデバイス)は、UEを中継器として使用することによって、eNodeBへの接続を確立する必要がある。WDに対してページングを行い、それによって、WDがUEにアクセスする手順は、図4を参照して以下で詳細に説明される。
【００９０】
101:  MMEがWDにダウンリンクデータを送信する必要があるときに、そのMMEは、eNodeBに第1のメッセージを送信する。
【００９１】
第1のメッセージは、また、ページングメッセージであり、第2のデバイスに対してページングを行うように基地局に指示するのに使用される。第2のデバイスにダウンリンクデータを送信する必要があるときに、そのネットワーク側デバイスは、eNodeBに第1のメッセージを送信する。そのメッセージを受信した後に、その基地局は、WDに対してページングを行う手順を開始する。
【００９２】
102:  eNodeBは、MMEが送信した第1のメッセージを受信し、そのメッセージの中で示されているWDのID(識別子)に基づいて、そのWDのページング機会PO1を算出し、そして、そのメッセージの中で示されているUEのID(識別子)に基づいて、そのUEのページング機会PO2を算出する。
【００９３】
103:  eNodeBは、UEのページング機会PO2において、そのUEに対してページングを行う。
【００９４】
具体的には、第1のページングメッセージは、PO2においてUEに送信され、第1のページングメッセージは、WDのIDを搬送する。
【００９５】
104:  eNodeBは、WDのページング機会PO1においてそのWDに対してページングを行う。
【００９６】
具体的には、第2のページングメッセージは、PO1においてWDに送信され、そのWDに対してページングを行うのに使用される。加えて、第2のページングメッセージは、また、そのWDのIDを搬送する。
【００９７】
105:  UEは、第1のページングメッセージを受信し、そして、その第1のページングメッセージの中で搬送されるWDのIDを識別した後に、そのWDに第3のメッセージを送信する。
【００９８】
具体的には、UEは、PO2において、基地局からページングメッセージを受信する。もちろん、WDは、また、そのWDのページング機会PO1において目覚めて、その基地局から第2のページングメッセージを受信する。加えて、UEは、さらに、図5に示されている3つの方式に準拠して、WDに第3のメッセージを送信してもよく、それらの3つの方式は、特に、
a.  第3のメッセージを送信する時間点Tを算出し、その第3のメッセージを送信する時間点Tにおいて、WDに第3のメッセージを送信するステップ、又は、
b.  メッセージを送信する時間長を算出し、そのメッセージを送信する時間長の中で、WDに第3のメッセージを送信するステップ、すなわち、ある時間期間の中でそのWDに第3のメッセージを連続的に送信するステップ、又は、
c.  その第1のページングメッセージを受信した後に、UEによってWDに第3のメッセージを連続的に送信し、WDからフィードバックメッセージを受信する場合には、そのWDへの第3のメッセージの送信を停止するステップ、を含む。
【００９９】
106:  WDは、第3のメッセージを受信し、その第3のメッセージに基づいてUEを識別し、そして、そのUEへの接続を確立する。
【０１００】
本明細書におけるUE及びWDは、ステップ101の前に、互いに対して対を構成するようにされており、互いのIDを知っているということに留意すべきである。加えて、UEは、RRC_IDLE状態にある。ページングプロセスの理解を容易にするために、図4は、時間シーケンスのうちの上記のステップ103乃至105のみを示し、上記の方法における残りのステップを示さないが、上記の方法がこれらのステップを含まないということを示すものではない。
【０１０１】
実施形態2
【０１０２】
本発明のある1つの実施形態は、アクセス方法を提供する。eNodeBは、UEと直接的に対話することが可能であり、WDは、UEを中継器として使用することによって、eNodeBへの接続を確立する必要がある。WDに対してページングを行い、それによって、WDがUEにアクセスする手順は、図6を参照して以下で詳細に説明される。
【０１０３】
201:  MMEがWDにダウンリンクデータを送信する必要があるときに、そのMMEは、eNodeBに第1のメッセージを送信する。
【０１０４】
202:  eNodeBは、MMEが送信した第1のメッセージを受信し、そのメッセージの中で示されているWDのID(識別子)に基づいて、そのWDのページング機会PO1を算出する。
【０１０５】
この実施形態におけるステップ201及び202は、上記の実施形態におけるステップ101及び102と同じであり、本明細書においては、詳細は、繰り返しては説明されない。
【０１０６】
203:  eNodeBは、WDのページング機会PO1において、そのWDに対してページングを行う。
【０１０７】
具体的には、第2のページングメッセージは、PO1においてWDに送信され、そのWDに対してページングを行うのに使用される。
【０１０８】
204:  UEは、第2のページングメッセージを受信する。
【０１０９】
具体的には、UEは、WDのパラメータに基づいて、そのWDのページング機会PO1を算出し、そのPO1において目覚めて、第2のページングメッセージを受信し、そして、さらに、そのWDに対してページングが行われるということを決定する。
【０１１０】
加えて、WDは、代替的、そのWDのページング機会、すなわち、PO1において目覚めて、第2のページングメッセージを受信してもよい。
【０１１１】
205:  UEは、WDに第3のメッセージを送信する。
【０１１２】
UEは、第2のページングメッセージを受信した後に、WDに第3のメッセージを送信する。加えて、UEは、さらに、図5に示されている3つの方式に準拠して、WDに第3のメッセージを送信してもよく、本明細書においては、詳細は繰り返しては説明されない。
【０１１３】
206:  WDは、第3のメッセージを受信し、その第3のメッセージに基づいてUEを識別し、そして、そのUEへの接続を確立する。
【０１１４】
本明細書においては、UE及びWDは、ステップ101の前に、互いに対して対を構成するようにされており、互いのIDを知っているということに留意すべきである。加えて、UEは、RRC_IDLE状態にある。
【０１１５】
実施形態3
【０１１６】
本発明のある1つの実施形態は、アクセス方法を提供する。eNodeBは、UEと直接的に対話することが可能であり、WDは、UEを中継器として使用することによって、eNodeBへの接続を確立する必要がある。WDに対してページングを行い、それによって、WDがUEにアクセスする手順は、図7を参照して以下で詳細に説明される。
【０１１７】
301:  MMEがWDにダウンリンクデータを送信する必要があるときに、そのMMEは、eNodeBに第1のメッセージを送信する。
【０１１８】
この実施形態におけるステップ301は、上記の実施形態におけるステップ101と同じであり、本明細書においては、詳細は、繰り返しては説明されない。
【０１１９】
302:  eNodeBは、MMEが送信した第1のメッセージを受信し、そして、ページング機会がUEのPO2であるということを決定する。
【０１２０】
303:  eNodeBは、UEのページング機会PO2において、WDに対してページングを行う。
【０１２１】
具体的には、第2のページングメッセージは、PO1においてWDに送信され、そのWDに対してページングを行うのに使用される。加えて、第2のページングメッセージは、さらに、そのWDのIDを搬送する。
【０１２２】
304:  WDは、UEのパラメータに基づいて、そのUEのページング機会PO2を算出し、そして、PO2において目覚めて、eNodeBが送信した第2のページングメッセージを受信する。
【０１２３】
305:  UEは、そのUEのページング機会PO2において目覚めて、第2のページングメッセージを受信する。
【０１２４】
もちろん、UEは、WDについてページングが行われるということを、第2のページングメッセージの中で搬送されるそのWDのIDに基づいて決定し、そして、さらに、ステップ306を実行することをトリガする。
【０１２５】
306:  UEは、WDに第3のメッセージを送信する。
【０１２６】
UEは、さらに、図5に示されている3つの方式に準拠して、WDに第3のメッセージを送信してもよく、本明細書においては、詳細は繰り返しては説明されない。
【０１２７】
307:  WDは、第3のメッセージを受信し、その第3のメッセージに基づいてUEを識別し、そして、そのUEへの接続を確立する。
【０１２８】
本明細書においては、UE及びWDは、ステップ101の前に、互いに対して対を構成するようにされており、互いのIDを知っているということに留意すべきである。加えて、UEは、RRC_IDLE状態にある。
【０１２９】
本発明にしたがって提供されるアクセス方法においては、WD(第2のデバイス)へのダウンリンクデータの送信が必要となるときに、ネットワーク側デバイスは、基地局を使用することによって、第2のデバイスに対するページングを開始してもよく、基地局は、UE(第1のデバイス)のページング機会及び/又はWDのページング機会において、第2のメッセージを送信する。さらに、UEは、WDに対してページングが行われるということを、第2のメッセージの中で搬送されるそのWDの識別子に基づいて決定し、そして、そのWDに第3のメッセージを送信してもよい。その第3のメッセージを受信した後に、WDは、その第3のメッセージに基づいて、UEと同期し、そのUEを識別し、そして、最後に、そのUEへの接続を確立してもよい。その後、ネットワーク側デバイスは、WDに送信することが必要であるダウンリンクデータをUEに送信してもよく、そのUEは、そのダウンリンクデータをWDへと中継する。上記の手順は、ウェアラブルデバイス(第2のデバイス)がUEにアクセスするのを可能とする。D2Dのシナリオにおいて、ウェアラブルデバイスは、そのUEを中継器として使用することによって、ネットワーク側との間でデータ伝送を実行することが可能である。
【０１３０】
上記の記載は、主として、複数のネットワーク要素の間の対話の観点から、本発明の複数の実施形態にしたがって提供される複数の解決方法を説明している。上記の複数の機能を達成するために、基地局及びUE(第1のデバイス)等のネットワーク要素は、それらの複数の機能を実行するための対応するハードウェア構成及び/又はソフトウェアモジュールを含むということを理解することが可能である。当業者は、本発明にしたがったハードウェアによって又はハードウェアとコンピュータソフトウェアとの組み合わせによって、本明細書において開示されているそれらの複数の実施形態を参照して説明されているユニット及びアルゴリズムステップの複数の例を実装することが可能であるということを容易に理解するはずである。それらの複数の機能を、ハードウェアによって実行するか、或いは、ハードウェアを駆動するコンピュータソフトウェアによって実行するかは、技術的解決方法の特定の応用及び設計上の制約条件によって決まる。当業者は、複数の異なる方法を使用して、各々の特定の応用について、説明された機能を実装してもよいが、その実装が、本発明の範囲を超えると解釈されるべきではない。
【０１３１】
本発明の複数の実施形態においては、上記の方法の複数の例に基づいて、基地局及びUE(第1のデバイス)等において、機能モジュールの分割を実行してもよい。例えば、複数の機能に対応して、機能モジュールを分割してもよい。代替的に、2つ又はそれ以上の機能を一体化して、1つの処理モジュールとしてもよい。ハードウェアの形態で、或いは、ソフトウェア機能モジュールの形態で、その一体化されたモジュールを実装してもよい。本発明の複数の実施形態にしたがったモジュールの分割は、ある1つの例であり、論理的な機能の分割にすぎないということに留意すべきである。実際の実装においては、他の分割手法が存在する場合がある。
【０１３２】
それらの複数の機能モジュールが機能に対応して分割される場合に、図8は、上記の実施形態にしたがった基地局の可能な概略的な構成図である。その基地局は、受信ユニット401、決定ユニット402、及び送信ユニット403を含む。受信ユニット401は、その基地局が、図3のプロセスS1、図4のプロセス102、図6のプロセス202、及び図7のプロセス302を実行するのを支援するように構成される。決定ユニット402は、その基地局が、図3のプロセスS2、図4のプロセス102、図6のプロセス202、及び図7のプロセス302を実行するのを支援するように構成される。送信ユニット403は、その基地局が、図3のプロセスS3、図4のプロセス103、図6のプロセス203、及び図7のプロセス303を実行するのを支援するように構成される。それらの対応する機能モジュールの機能的な説明については、上記の方法の実施形態における複数のステップのすべての関連する内容を参照してもよい。本明細書においては、詳細は繰り返しては説明されない。
【０１３３】
受信ユニット401は、基地局のトランシーバーであってもよい。送信ユニット403は、基地局のトランシーバーであってもよい。そのトランシーバー及びそのトランシーバーを共に一体化して、基地局の1つのトランシーバーを形成してもよい。決定ユニット402を一体化して、基地局のプロセッサとしてもよい。そのプロセッサは、メモリの中のコードを呼び出して、その決定ユニットの上記の機能を実行する。
【０１３４】
図9を参照すると、基地局は、プロセッサ501、トランシーバー502、メモリ503、及びバス504を含む。トランシーバー502、プロセッサ501、及びメモリ503は、バス504を使用することによって、互いに接続されている。バス504は、周辺機器構成要素相互接続(Peripheral  Component  Interconnect,  PCI)バス又は拡張業界標準アーキテクチャ(Extended  Industry  Standard  Architecture,  EISA)バス等であってもよい。アドレスバス、データバス、又は制御バス等に、それらのバスを分類してもよい。指示を容易にするために、それらのバスは、図9の中で1つのみの太線を使用することによって示されている。一方で、このことは、1つのみのバスが存在する、或いは、1つの種類のバスのみが存在するということを示すものではない。
【０１３５】
機能モジュールが複数の機能に対応して分割される場合に、図10は、上記の実施形態にしたがった第1のデバイスの可能な概略的な構成図である。その第1のデバイスは、受信ユニット601、決定ユニット602、及び送信ユニット603を含む。受信ユニット601は、その第1のデバイスが、図3のプロセスS4、図4のプロセス105、図6のプロセス204、及び図7のプロセス305を実行するのを支援するように構成される。決定ユニット602は、その基地局が、図3のプロセスS5、図4のプロセス105、図6のプロセス204において第2のデバイスに対してページングが行われるということを決定する関連するステップ、及び図7のプロセス305において第2のデバイスに対してページングが行われるということを決定する関連するステップを実行するのを支援するように構成される。送信ユニット603は、その基地局が、図3のプロセスS6、図4のプロセス105、図6のプロセス205、及び図7のプロセス306を実行するのを支援するように構成される。対応する機能的なモジュールの機能的な説明については、上記の方法の実施形態におけるステップのすべての関連する内容を参照してもよい。本明細書においては、詳細は繰り返しては説明されない。
【０１３６】
受信ユニット601は、第1のデバイスのトランシーバーであってもよい。送信ユニット603は、第1のデバイスのトランシーバーであってもよい。そのトランシーバー及びそのトランシーバーを共に一体化して、第1のデバイスの1つのトランシーバーを形成してもよい。決定ユニット602を一体化して、第1のデバイスのプロセッサとしてもよい。第1のデバイスは、メモリの中のコードを呼び出して、その決定ユニットの上記の機能を実行する。
【０１３７】
図11を参照すると、第1のデバイスは、プロセッサ701、トランシーバー702、メモリ703、及びバス704を含む。トランシーバー702、プロセッサ701、及びメモリ703は、バス704を使用することによって、互いに接続されている。バス704は、周辺機器構成要素相互接続(Peripheral  Component  Interconnect,  PCI)バス又は拡張業界標準アーキテクチャ(Extended  Industry  Standard  Architecture,  EISA)バス等であってもよい。アドレスバス、データバス、又は制御バス等に、それらのバスを分類してもよい。指示を容易にするために、それらのバスは、図11の中で1つのみの太線を使用することによって示されている。一方で、このことは、1つのみのバスが存在する、或いは、1つの種類のバスのみが存在するということを示すものではない。
【０１３８】
本発明によって開示された内容を参照して説明された複数の方法又はアルゴリズムステップは、ハードウェア方式で実装されてもよく、或いは、プロセッサによってソフトウェア命令を実行する方式で実装されてもよい。ソフトウェア命令は、対応するソフトウェアモジュールを含んでもよい。ランダムアクセスメモリ(Random  Access  Memory,  RAM)、フラッシュメモリ、読み出し専用メモリ(Read-Only  Memory,  ROM)、消去可能かつプログラム可能な読み出し専用メモリ(Erasable  Programmable  ROM,  EPROM)、電気的に消去可能かつプログラム可能な読み出し専用メモリ(Electrically  EPROM,  EEPROM)、レジスタ、ハードディスク、取り外し可能なハードディスク、コンパクトディスク読み出し専用メモリ(CD-ROM)、又はこの技術分野でよく知られているいずれかの他の形態の記憶媒体の中に、ソフトウェアモジュールを格納してもよい。1つの例として使用される記憶媒体は、プロセッサに接続され、それによって、そのプロセッサは、その記憶媒体から情報を読み取り、そして、その記憶媒体に情報を書き込むことが可能である。もちろん、記憶媒体は、そのプロセッサの一部であってもよい。プロセッサ及び記憶媒体は、ASICの中に位置していてもよい。加えて、ASICは、コアネットワークインターフェイスデバイスの中に位置していてもよい。もちろん、プロセッサ及び記憶媒体は、コアネットワークインターフェイスデバイスの中に個別の構成要素として存在してもよい。
【０１３９】
複数の実装に関する上記の説明は、利便性のある簡潔な説明のために、図示のためのある1つの例として、上記の複数の機能モジュールの分割を使用するということを当業者が明確に理解することを可能にする。実際の適用においては、上記の複数の機能は、複数の異なるモジュールに割り当てられ、そして、必要に応じて実装することが可能である、すなわち、装置の内部構成が複数の異なる機能モジュールに分割されて、上記の複数の機能のすべて又は一部を実装する。上記の装置の詳細な動作プロセスについては、上記の方法の実施形態における対応するプロセスを参照すべきであり、本明細書においては、詳細はさらに説明されない。
【０１４０】
複数の分離した部分として記載されているユニットは、物理的に分離していてもよく、又は、物理的に分離していなくてもよく、複数のユニットとして示されている部分は、1つ又は複数の物理的なユニットであってもよい、すなわち、1つの場所に位置していてもよく、或いは、複数の異なる場所に分散されていてもよい。実際の要求にしたがって、それらの複数のユニットのうちのいくつか又はすべてを選択して、複数の実施形態にしたがった解決方法の目的を達成してもよい。加えて、本発明の複数の実施形態にしたがった機能的なユニットを一体化して、1つの処理ユニットとしてもよく、或いは、それらの複数のユニットの各々は、物理的に単独で存在していてもよく、2つ又はそれ以上のユニットを一体化して、1つのユニットとしてもよい。その一体化されたユニットは、ハードウェアの形態で実装されてもよく、或いは、ソフトウェア機能ユニットの形態で実装されてもよい。
【０１４１】
一体化されたユニットがソフトウェア機能ユニットの形態で実装され、独立した製品として販売され又は使用される場合に、読み取り可能な記憶媒体の中にその一体化されたユニットを格納してもよい。そのような理解に基づいて、本発明にしたがった複数の技術的解決方法を、本質的に、或いは、先行技術に寄与する部分或いは技術的解決方法のすべて又は一部を、ソフトウェア製品の形態で実装してもよい。ソフトウェア製品は、記憶媒体に格納され、本発明の複数の実施形態にしたがって説明された複数の方法のステップのうちのすべて又は一部を実行するように、(シングルチップマイクロコンピュータ又はチップ等であってもよい)デバイス又はプロセッサ(processor)に指示する複数の命令を含む。上記の記憶媒体は、プログラムコードを格納することが可能であるUSBフラッシュドライブ、取り外し可能なハードディスク、読み取り専用メモリ(ROM,  Read-Only  Memory)、ランダムアクセスメモリ(RAM,  Random  Access  Memory)、磁気ディスク、又はコンパクトディスク等のいずれかの媒体を含む。
【０１４２】
それらの説明は、本発明の特定の実装であるにすぎず、本発明の保護の範囲を限定することを意図するものではない。本発明によって開示されている技術的範囲の中で当業者が容易に考え出すことが可能であるあらゆる変形又は置換は、本発明の保護の範囲に属するものとする。したがって、本発明の保護の範囲は、請求項に記載された発明の保護の範囲に従うものとする。
【図１】
2019525594.tif 000004
【図２】
2019525594.tif 000005
【図３】
2019525594.tif 000006
【図４】
2019525594.tif 000007
【図５】
2019525594.tif 000008
【図６】
2019525594.tif 000009
【図７】
2019525594.tif 000010
【図８】
2019525594.tif 000011
【図９】
2019525594.tif 000012
【図１０】
2019525594.tif 000013
【図１１】
2019525594.tif 000014
【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
メッセージ伝送方法であって、
ネットワーク側デバイスが送信した第1のメッセージを基地局によって受信するステップであって、前記第1のメッセージは、第2のデバイスに対してページングを行うように前記基地局に指示するのに使用される、ステップと、
前記基地局によって、ページング機会を決定するステップであって、前記ページング機会は、第1のデバイスのページング機会及び/又は前記第2のデバイスのページング機会である、ステップと、
前記基地局によって、前記ページング機会において第2のメッセージを送信するステップと、を含み、前記第2のメッセージは、前記第2のデバイスの識別子を搬送し、それによって、前記第1のデバイスは、前記第2のメッセージに基づいて、前記第2のデバイスに第3のメッセージを送信し、そして、前記第3のメッセージに基づいて、前記第2のデバイスへの接続を確立する、
方法。
【請求項２】
前記ページング機会が、前記第1のデバイスの前記ページング機会及び前記第2のデバイスの前記ページング機会である場合に、
前記基地局によって、前記ページング機会において第2のメッセージを送信する前記ステップは、
前記基地局によって、前記第1のデバイスの前記ページング機会において第1のページングメッセージを送信するステップであって、前記第1のページングメッセージは、前記第1のデバイスに対してページングを行うのに使用され、前記第1のページングメッセージは、前記第2のデバイスの前記識別子を搬送する、ステップと、前記第2のデバイスの前記ページング機会において第2のページングメッセージを送信するステップと、を含み、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスの前記識別子に基づいて、前記第2のデバイスに前記第3のメッセージを送信し、そして、前記第3のメッセージに基づいて、前記第2のデバイスへの前記接続を確立するか、又は、
前記ページング機会が前記第2のデバイスの前記ページング機会である場合に、
前記基地局によって、前記ページング機会において第2のメッセージを送信する前記ステップは、
前記基地局によって、前記第2のデバイスの前記ページング機会において第2のページングメッセージを送信するステップを含み、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスに前記第3のメッセージを送信し、そして、前記第3のメッセージに基づいて、前記第2のデバイスへの前記接続を確立するか、又は、
前記ページング機会が前記第1のデバイスの前記ページング機会である場合に、
前記基地局によって、前記ページング機会において第2のメッセージを送信する前記ステップは、
前記基地局によって、前記第1のデバイスの前記ページング機会において第2のページングメッセージを送信するステップを含み、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスに前記第3のメッセージを送信し、そして、前記第3のメッセージに基づいて、前記第2のデバイスへの前記接続を確立する、請求項1に記載の方法。
【請求項３】
前記基地局によって、ページング機会を決定する前記ステップは、
前記基地局によって、前記第1のデバイスの識別子に基づいて、前記第1のデバイスの前記ページング機会を算出するステップ、及び/又は、
前記基地局によって、前記第2のデバイスの前記識別子に基づいて、前記第2のデバイスの前記ページング機会を算出するステップ、を含む、請求項1乃至2のうちのいずれか1項に記載の方法。
【請求項４】
アクセス方法であって、
基地局が送信した第2のメッセージを第1のデバイスによって受信するステップであって、前記第2のメッセージは、第2のデバイスの識別子を搬送する、ステップと、
前記第2のデバイスに対してページングが行われるということを、前記第2のメッセージの中で搬送される前記第2のデバイスの前記識別子に基づいて、前記第1のデバイスによって決定するステップと、
前記第1のデバイスによって前記第2のデバイスに第3のメッセージを送信して、前記第3のメッセージに基づいて前記第2のデバイスへの接続を確立するステップと、を含む、
方法。
【請求項５】
基地局が送信した第2のメッセージを第1のデバイスによって受信する前記ステップは、
前記第1のデバイスによって、前記第1のデバイスのページング機会において第1のページングメッセージを受信するステップを含み、前記第1のページングメッセージは、前記第1のデバイスに対してページングを行うのに使用され、前記第1のページングメッセージは、前記第2のデバイスの前記識別子を搬送するか、又は、
基地局が送信した第2のメッセージを第1のデバイスによって受信する前記ステップは、
前記第1のデバイスによって、前記第2のデバイスのページング機会において第2のページングメッセージを受信するステップを含み、前記第2のページングメッセージは、前記第2のデバイスに対してページングを行うのに使用され、前記第2のページングメッセージは、前記第2のデバイスの前記識別子を搬送するか、又は、
基地局が送信した第2のメッセージを第1のデバイスによって受信する前記ステップは、
前記第1のデバイスによって、前記第1のデバイスのページング機会において第2のページングメッセージを受信するステップを含み、前記第2のページングメッセージは、前記第2のデバイスに対してページングを行うのに使用され、前記第2のページングメッセージは、前記第2のデバイスの前記識別子を搬送する、請求項4に記載の方法。
【請求項６】
前記第2のデバイスに対してページングが行われるということを、前記第2のデバイスの前記識別子に基づいて、前記第1のデバイスによって決定する前記ステップは、
前記第2のデバイスに対してページングが行われるということを、前記第1のページングメッセージの中で搬送される前記第2のデバイスの前記識別子に基づいて、前記第1のデバイスによって決定するステップを含むか、又は、
前記第2のデバイスに対してページングが行われるということを、前記第2のページングメッセージの中で搬送される前記第2のデバイスの前記識別子に基づいて、前記第1のデバイスによって決定するステップを含む、請求項5に記載の方法。
【請求項７】
前記第1のデバイスによって前記第2のデバイスに第3のメッセージを送信する前記ステップは、
前記第1のデバイスによって、第3のメッセージを送信する時間点を算出し、前記第3のメッセージを送信する時間点において、前記第2のデバイスに前記第3のメッセージを送信するステップ、又は、
前記第1のデバイスによって、メッセージを送信する時間長を算出し、前記メッセージを送信する時間長の中で、前記第2のデバイスに前記第3のメッセージを送信するステップ、又は、
前記第1のデバイスによって前記第2のデバイスに前記第3のメッセージを送信し、前記第2のデバイスからフィードバックメッセージを受信する場合には、前記第2のデバイスへの前記第3のメッセージの送信を停止するステップ、を含む、請求項4乃至6のうちのいずれか1項に記載の方法。
【請求項８】
基地局であって、
ネットワーク側デバイスが送信した第1のメッセージを受信するように構成される受信ユニットであって、前記第1のメッセージは、第2のデバイスに対してページングを行うように当該基地局に指示するのに使用される、受信ユニットと、
ページング機会を決定するように構成される決定ユニットであって、前記ページング機会は、第1のデバイスのページング機会及び/又は前記第2のデバイスのページング機会である、決定ユニットと、
前記ページング機会において第2のメッセージを送信するように構成される送信ユニットと、を含み、前記第2のメッセージは、前記第2のデバイスの識別子を搬送し、それによって、前記第1のデバイスは、前記第2のメッセージに基づいて、前記第2のデバイスに第3のメッセージを送信し、そして、前記第3のメッセージに基づいて、前記第2のデバイスへの接続を確立する、
基地局。
【請求項９】
前記ページング機会が、前記第1のデバイスの前記ページング機会及び前記第2のデバイスの前記ページング機会である場合に、
前記送信ユニットは、前記第1のデバイスの前記ページング機会において第1のページングメッセージを送信するように構成され、前記第1のページングメッセージは、前記第1のデバイスに対してページングを行うのに使用され、前記第1のページングメッセージは、前記第2のデバイスの前記識別子を搬送し、
前記第2のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスの前記識別子に基づいて、前記第2のデバイスに前記第3のメッセージを送信し、そして、前記第3のメッセージに基づいて、前記第2のデバイスへの前記接続を確立するか、又は、
前記ページング機会が前記第2のデバイスの前記ページング機会である場合に、
前記送信ユニットは、前記第2のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスに前記第3のメッセージを送信し、そして、前記第3のメッセージに基づいて、前記第2のデバイスへの前記接続を確立するか、又は、
前記ページング機会が前記第1のデバイスの前記ページング機会である場合に、
前記送信ユニットは、前記第1のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスに前記第3のメッセージを送信し、そして、前記第3のメッセージに基づいて、前記第2のデバイスへの前記接続を確立する、請求項8に記載の基地局。
【請求項１０】
前記決定ユニットは、前記第1のデバイスの識別子に基づいて、前記第1のデバイスの前記ページング機会を算出し、及び/又は、
前記第2のデバイスの前記識別子に基づいて、前記第2のデバイスの前記ページング機会を算出する、ように構成される、請求項8乃至9のうちのいずれか1項に記載の基地局。
【請求項１１】
第1のデバイスであって、
基地局が送信した第2のメッセージを受信するように構成される受信ユニットであって、前記第2のメッセージは、第2のデバイスの識別子を搬送する、受信ユニットと、
前記第2のデバイスに対してページングが行われるということを、前記第2のメッセージの中で搬送される前記第2のデバイスの前記識別子に基づいて決定するように構成される決定ユニットと、
前記第2のデバイスに第3のメッセージを送信して、前記第3のメッセージに基づいて前記第2のデバイスへの接続を確立するように構成される送信ユニットと、を含む、
第1のデバイス。
【請求項１２】
前記受信ユニットは、
前記第1のデバイスのページング機会において第1のページングメッセージを受信するように構成され、前記第1のページングメッセージは、前記第1のデバイスに対してページングを行うのに使用され、前記第1のページングメッセージは、前記第2のデバイスの前記識別子を搬送するか、又は、
前記受信ユニットは、前記第2のデバイスのページング機会において第2のページングメッセージを受信するように構成され、前記第2のページングメッセージは、前記第2のデバイスに対してページングを行うのに使用され、前記第2のページングメッセージは、前記第2のデバイスの前記識別子を搬送するか、又は、
前記受信ユニットは、前記第1のデバイスのページング機会において第2のページングメッセージを受信するように構成され、前記第2のページングメッセージは、前記第2のデバイスに対してページングを行うのに使用され、前記第2のページングメッセージは、前記第2のデバイスの前記識別子を搬送する、請求項11に記載の第1のデバイス。
【請求項１３】
前記決定ユニットは、前記第2のデバイスに対してページングが行われるということを、前記第1のページングメッセージの中で搬送される前記第2のデバイスの前記識別子に基づいて決定するように構成されるか、又は、
前記決定ユニットは、前記第2のデバイスに対してページングが行われるということを、前記第2のページングメッセージの中で搬送される前記第2のデバイスの前記識別子に基づいて決定するように構成される、請求項12に記載の第1のデバイス。
【請求項１４】
演算ユニットをさらに含み、
前記演算ユニットは、第3のメッセージを送信する時間点を算出するように構成され、そして、
前記送信ユニットは、前記第3のメッセージを送信する時間点において、前記第2のデバイスに前記第3のメッセージを送信するように構成されるか、又は、
前記演算ユニットは、メッセージを送信する時間長を算出するように構成され、そして、
前記送信ユニットは、前記メッセージを送信する時間長の中で、前記第2のデバイスに前記第3のメッセージを送信するように構成されるか、又は、
前記送信ユニットは、前記第2のデバイスに前記第3のメッセージを送信し、そして、前記受信ユニットが前記第2のデバイスからフィードバックメッセージを受信する場合には、前記第2のデバイスへの前記第3のメッセージの送信を停止する、ように構成される、請求項11乃至13のうちのいずれか1項に記載の第1のデバイス。
【請求項１５】
コンピュータ実行可能な命令を含むコンピュータプログラムであって、前記コンピュータ実行可能な命令が基地局のプロセッサで実行されると、前記コンピュータ実行可能な命令は、前記基地局にメッセージ伝送方法を実行させ、前記メッセージ伝送方法は、
ネットワーク側デバイスが送信した第1のメッセージを受信するステップであって、前記第1のメッセージは、第2のデバイスに対してページングを行うように前記基地局に指示するのに使用される、ステップと、
ページング機会を決定するステップであって、前記ページング機会は、第1のデバイスのページング機会及び/又は前記第2のデバイスのページング機会である、ステップと、
前記ページング機会において第2のメッセージを送信するステップと、を含み、前記第2のメッセージは、前記第2のデバイスの識別子を搬送し、それによって、前記第1のデバイスは、前記第2のメッセージに基づいて、前記第2のデバイスに第3のメッセージを送信し、そして、前記第3のメッセージに基づいて、前記第2のデバイスへの接続を確立する、
コンピュータプログラム。
【請求項１６】
コンピュータ実行可能な命令を含むコンピュータプログラムであって、前記コンピュータ実行可能な命令が第1のデバイスのプロセッサで実行されると、前記コンピュータ実行可能な命令は、前記第1のデバイスにアクセス方法を実行させ、前記アクセス方法は、
基地局が送信した第2のメッセージを受信するステップであって、前記第2のメッセージは、第2のデバイスの識別子を搬送する、ステップと、
前記第2のデバイスに対してページングが行われるということを、前記第2のメッセージの中で搬送される前記第2のデバイスの前記識別子に基づいて決定するステップと、
前記第2のデバイスに第3のメッセージを送信して、前記第3のメッセージに基づいて前記第2のデバイスへの接続を確立するステップと、を含む、
コンピュータプログラム。
【手続補正２】
【補正対象書類名】明細書
【補正対象項目名】全文
【補正方法】変更
【補正の内容】
【発明の詳細な説明】
【技術分野】
【０００１】
本発明は、通信分野に関し、特に、アクセス方法、基地局、及びデバイスに関する。
【背景技術】
【０００２】
D2D(device  to  device,  デバイストゥデバイス)中継リンクにおいては、第1のデバイスを使用することによって、第2のデバイスをネットワークに接続してもよい。その第2のデバイスは、例えば、ウェアラブルデバイス等の低性能デバイスであってもよい。第1のデバイスは、例えば、高性能スマートフォン等の高性能デバイスであってもよい。そのスマートフォンを使用することによって、ウェアラブルデバイスをネットワークに接続することが可能である。本明細書でいうスマートフォンを中継ノードとして使用して、そのウェアラブルデバイスがネットワークにアクセスするのを支援することが可能であり、それにより、そのウェアラブルデバイスの電力消費を低減する。
【０００３】
例えば、将来的に、人間は、さまざまなインテリジェントウェアラブルデバイスを身に付ける可能性がある。したがって、各々の第1のデバイスを複数の第2のデバイスに接続してもよく、第1のデバイスを中継器として使用することによって、それらの複数の第2のデバイスをネットワークに接続することを可能としてもよい。したがって、ウェアラブルデバイスによってUE(第1のデバイス)にアクセスする解決方法を研究する必要がある。
【発明の概要】
【０００４】
本発明の複数の実施形態は、ウェアラブルデバイスが、UEにアクセスして、そのUEを使用することによって、ネットワーク側との間でデータ伝送を実行することを可能とするアクセス方法、基地局、及びデバイスを提供する。
【０００５】
本発明のそれらの複数の実施形態の中で以下の複数の技術的解決方法を使用して、上記の目的を達成する。
【０００６】
第1の態様によれば、ある1つのアクセス方法が開示され、D2D中継システムに適用される。そのD2D中継システムは、基地局、少なくとも1つの第1のデバイス、及び第1のデバイスと対を構成する少なくとも1つの第2のデバイスを含む。その方法は、
ネットワーク側デバイスが送信した第1のメッセージを前記基地局によって受信するステップであって、前記第1のメッセージは、そのメッセージを受信した後に、第2のデバイスに対してページングを行う手順を開始するように前記基地局に指示するのに使用される、ステップと、さらに、前記基地局によって、ページング機会を決定するステップであって、前記ページング機会は、前記第1のデバイスのページング機会及び/又は前記第2のデバイスのページング機会である、ステップと、最後に、前記基地局によって、前記ページング機会において第2のメッセージを送信するステップと、を含み、前記第2のメッセージは、前記第2のデバイスの識別子を搬送し、それによって、前記第1のデバイスは、前記第2のデバイスの前記識別子に基づいて、前記第2のデバイスに第3のメッセージを送信して、前記第3のメッセージに基づいて、前記第2のデバイスへの接続を確立することが可能である。
【０００７】
本発明にしたがって提供されるアクセス方法においては、第2のデバイスへのダウンリンクデータの送信が必要となるときに、ネットワーク側デバイスは、基地局を使用することによって、第2のデバイスに対するページングを開始してもよく、基地局は、第1のデバイスのページング機会及び/又は第2のデバイスのページング機会において、第2のメッセージを送信する。さらに、第1のデバイスは、第2のデバイスに対してページングが行われるということを、第2のメッセージの中で搬送される第2のデバイスの識別子に基づいて決定し、そして、第2のデバイスに第3のメッセージを送信してもよい。第3のメッセージを受信した後に、第2のデバイスは、第3のメッセージに基づいて、第1のデバイスと同期し、第1のデバイスを識別し、そして、最後に、第1のデバイスへの接続を確立してもよい。その後、ネットワーク側デバイスは、第2のデバイスに送信することが必要であるダウンリンクデータを第1のデバイスに送信してもよく、第1のデバイスは、そのダウンリンクデータを第2のデバイスへと中継する。上記の手順は、ウェアラブルデバイス(第2のデバイス)がUEにアクセスするのを可能とする。D2Dのシナリオにおいて、ウェアラブルデバイスは、そのUEを中継器として使用することによって、ネットワーク側との間でデータ伝送を実行することが可能である。
【０００８】
第1の態様に関して、第1の態様の第1の可能な実装において、前記ページング機会が、前記第1のデバイスの前記ページング機会及び前記第2のデバイスの前記ページング機会である場合に、前記基地局によって、前記ページング機会において第2のメッセージを送信する前記ステップは、特に、前記基地局によって、前記第1のデバイスの前記ページング機会において第1のページングメッセージを送信するステップと、前記第2のデバイスの前記ページング機会において第2のページングメッセージを送信するステップと、を含み、それによって、前記第1のデバイスは、前記第1のデバイスの前記ページング機会において、前記第1のページングメッセージを受信し、前記第2のデバイスに対してページングが行われるということを、前記第1のページングメッセージの中にある前記第2のデバイスの前記識別子に基づいて決定し、そして、前記第2のデバイスに前記第3のメッセージを送信して、前記第3のメッセージに基づいて、前記第2のデバイスへの前記接続を確立する。前記第1のページングメッセージは、前記第1のデバイスに対してページングを行うのに使用され、前記第2のデバイスの前記識別子を搬送する。前記第2のページングメッセージは、前記第2のデバイスに対してページングを行うのに使用され、前記第2のデバイスの前記識別子を搬送する。もちろん、前記第2のデバイスは、また、前記第2のデバイスの前記ページング機会において目覚めて、前記第2のページングメッセージを受信し、そして、前記第2のデバイスに対してページングが行われるということを、前記第2のページングメッセージの中で搬送される前記第2のデバイスの前記識別子に基づいて決定する。
【０００９】
第1の実装においては、第2のメッセージは、第1のページングメッセージ及び第2のページングメッセージである、すなわち、基地局は、第1のデバイス及び第2のデバイスに対してページングを行ってもよい。第1のデバイスが受信する第1のページングメッセージは、第2のデバイスの識別子を搬送する。したがって、第1のデバイスは、第2のデバイスに対してページングが行われるということを、基地局のページングメッセージに基づいて決定してもよい。この手法においては、第1のデバイスは、第2のデバイスに第3のメッセージを送信して、第1のデバイスと第2のデバイスとの間の接続を確立する。
【００１０】
第1の態様に関して、第1の態様の第2の可能な実装において、前記ページング機会が前記第2のデバイスの前記ページング機会である場合に、前記基地局によって、前記ページング機会において第2のメッセージを送信する前記ステップは、特に、前記基地局によって、前記第2のデバイスの前記ページング機会において第2のページングメッセージを送信するステップを含み、前記第2のページングメッセージは、前記第2のデバイスに対してページングを行うのに使用され、前記第2のデバイスの前記識別子を搬送し、それによって、前記第1のデバイスは、前記第2のデバイスの前記ページング機会において前記第2のページングメッセージを受信した後に、前記第2のデバイスに対してページングが行われるということを決定し、そして、前記第2のデバイスに前記第3のメッセージを送信して、前記第3のメッセージに基づいて、前記第2のデバイスへの前記接続を確立する。
【００１１】
第2の実装においては、第2のメッセージは、第2のページングメッセージである。基地局は、第2のデバイスのページング機会において、第2のデバイスに対してのみページングを行う。一方で、第1のデバイスは、第2のデバイスの識別子に基づいて、第2のデバイスのページング機会を算出してもよい。さらに、第1のデバイスは、第2のデバイスのページング機会において、基地局のページングメッセージを受信し、そして、第2のデバイスに対してページングが行われるということをそのページングメッセージに基づいて決定してもよい。この手法においては、第1のデバイスは、第2のデバイスに第3のメッセージを送信し、それによって、第1のデバイス及び第2のデバイスは、接続を確立する。
【００１２】
第1の態様に関して、第1の態様の第3の可能な実装において、前記ページング機会が前記第1のデバイスの前記ページング機会である場合に、前記基地局によって、前記ページング機会において第2のメッセージを送信する前記ステップは、特に、前記基地局によって、前記第1のデバイスの前記ページング機会において第2のページングメッセージを送信するステップを含み、前記第2のページングメッセージは、前記第2のデバイスに対してページングを行うのに使用され、前記第2のデバイスの前記識別子を搬送し、それによって、前記第1のデバイスは、前記第1のデバイスの前記ページング機会において前記第2のページングメッセージを検出し、前記第2のデバイスに対してページングが行われるということを、前記第2のページングメッセージの中で搬送される前記第2のデバイスの前記識別子に基づいて決定し、そして、前記第2のデバイスに前記第3のメッセージを送信して、前記第3のメッセージに基づいて、前記第2のデバイスへの前記接続を確立する。
【００１３】
第3の実装においては、第2のメッセージは、第2のページングメッセージである。基地局は、第1のデバイスのページング機会において、第2のデバイスに対してのみページングを行う。さらに、第1のデバイスは、第1のデバイスのページング機会において、基地局のページングメッセージを受信し、そして、第2のデバイスに対してページングが行われるということをそのページングメッセージに基づいて決定してもよい。この手法においては、第1のデバイスは、第2のデバイスに第3のメッセージを送信し、それによって、第1のデバイス及び第2のデバイスは、接続を確立する。
【００１４】
第1の態様又は第1の態様の第1乃至第3の可能な実装のうちのいずれか1つに関して、第1の態様の第4の可能な実装において、
前記基地局によって、ページング機会を決定する前記ステップは、特に、前記基地局によって、前記第1のデバイスの識別子に基づいて、前記第1のデバイスの前記ページング機会を算出するステップ、及び/又は、前記基地局によって、前記第2のデバイスの前記識別子に基づいて、前記第2のデバイスの前記ページング機会を算出するステップ、を含む。
【００１５】
第2の態様によれば、ある1つのアクセス方法が開示され、D2D中継システムに適用される。そのD2D中継システムは、基地局、少なくとも1つの第1のデバイス、及び第1のデバイスと対を構成する少なくとも1つの第2のデバイスを含む。その方法は、
前記基地局が送信した第2のメッセージを前記第1のデバイスによって受信するステップであって、前記第2のメッセージは、前記第2のデバイスの識別子を搬送する、ステップと、次に、前記第2のデバイスに対してページングが行われるということを、前記第2のメッセージの中で搬送される前記第2のデバイスの前記識別子に基づいて、前記第1のデバイスによって決定するステップと、その次に、前記第2のデバイスに第3のメッセージを送信して、前記第3のメッセージに基づいて前記第2のデバイスへの接続を確立するステップと、を含む。
【００１６】
第2の態様に関して、第2の態様の第1の可能な実装において、基地局が送信した第2のメッセージを前記第1のデバイスによって受信する前記ステップは、前記第1のデバイスによって、前記第1のデバイスのページング機会において第1のページングメッセージを受信するステップを含み、前記第1のページングメッセージは、前記第1のデバイスに対してページングを行うのに使用され、前記第1のページングメッセージは、前記第2のデバイスの前記識別子を搬送し、前記第1のページングメッセージは、前記第1のデバイスの前記ページング機会において前記基地局によって送信される。
【００１７】
さらに、第1のデバイスは、第2のデバイスに対してページングが行われるということを、第1のページングメッセージの中で搬送される第2のデバイスの識別子に基づいて決定する。
【００１８】
第2の態様に関して、第2の態様の第2の可能な実装において、前記基地局が送信した第2のメッセージを前記第1のデバイスによって受信する前記ステップは、前記第1のデバイスによって、前記第2のデバイスのページング機会において第2のページングメッセージを受信するステップを含み、前記第2のページングメッセージは、前記第2のデバイスに対してページングを行うのに使用され、前記第2のデバイスの前記識別子を搬送し、前記第2のページングメッセージは、前記第2のデバイスの前記ページング機会において前記基地局によって送信される。
【００１９】
さらに、第1のデバイスは、第2のデバイスに対してページングが行われるということを、第2のページングメッセージの中で搬送される第2のデバイスの識別子に基づいて決定する。
【００２０】
第2の態様に関して、第2の態様の第3の可能な実装において、前記基地局が送信した第2のメッセージを前記第1のデバイスによって受信する前記ステップは、前記第1のデバイスによって、前記第1のデバイスのページング機会において第2のページングメッセージを受信するステップを含み、前記第2のページングメッセージは、前記第2のデバイスに対してページングを行うのに使用され、前記第2のデバイスの前記識別子を搬送し、前記第2のページングメッセージは、前記第1のデバイスの前記ページング機会において前記基地局によって送信される。加えて、前記第2のデバイスは、前記第1のデバイスの前記ページング機会を算出し、前記第1のデバイスの前記ページング機会において目覚めて、前記第2のページングメッセージを受信し、そして、前記第2のデバイスに対してページングが行われるということを、前記第2のページングメッセージの中で搬送される前記第2のデバイスの前記識別子に基づいて決定する。
【００２１】
さらに、第1のデバイスは、第2のデバイスに対してページングが行われるということを、第2のページングメッセージの中で搬送される第2のデバイスの識別子に基づいて決定する。
【００２２】
第2の態様又は第2の態様の第1乃至第3の可能な実装のうちのいずれか1つに関して、第2の態様の第4の可能な実装において、前記第1のデバイスによって前記第2のデバイスに第3のメッセージを送信する前記ステップは、
前記第1のデバイスによって、第3のメッセージを送信する時間点を算出し、前記第3のメッセージを送信する時間点において、前記第2のデバイスに前記第3のメッセージを送信するステップ、又は、前記第1のデバイスによって、メッセージを送信する時間長を算出し、前記メッセージを送信する時間長の中で、前記第2のデバイスに前記第3のメッセージを連続的に送信するステップ、すなわち、ある時間期間の中で、前記第2のデバイスに前記第3のメッセージを連続的に送信するステップ、又は、前記第2のメッセージ(前記第1のデバイスが受信する前記第2のメッセージは、前記第1のページングメッセージ又は前記第2のページングメッセージである)を受信した後に、前記第1のデバイスによって前記第2のデバイスに前記第3のメッセージを送信し、前記第2のデバイスからフィードバックメッセージを受信する場合には、前記第2のデバイスへの前記第3のメッセージの送信を停止するステップ、を含む。
【００２３】
第3の態様によれば、ある1つの基地局が開示される。その基地局は、
ネットワーク側デバイスが送信した第1のメッセージを受信するように構成される受信ユニットであって、前記第1のメッセージは、第2のデバイスに対してページングを行うように当該基地局に指示するのに使用される、受信ユニットと、ページング機会を決定するように構成される決定ユニットであって、前記ページング機会は、第1のデバイスのページング機会及び/又は前記第2のデバイスのページング機会である、決定ユニットと、前記ページング機会において第2のメッセージを送信するように構成される送信ユニットと、を含み、前記第2のメッセージは、前記第2のデバイスの識別子を搬送し、それによって、前記第1のデバイスは、前記第2のメッセージに基づいて、前記第2のデバイスに第3のメッセージを送信し、そして、前記第3のメッセージに基づいて、前記第2のデバイスへの接続を確立する。
【００２４】
第3の態様に関して、第3の態様の第1の可能な実装において、前記ページング機会が、前記第1のデバイスの前記ページング機会及び前記第2のデバイスの前記ページング機会である場合に、前記送信ユニットは、特に、前記第1のデバイスの前記ページング機会において第1のページングメッセージを送信するように構成され、前記第1のページングメッセージは、前記第1のデバイスに対してページングを行うのに使用され、前記第1のページングメッセージは、前記第2のデバイスの前記識別子を搬送し、前記第2のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスの前記識別子に基づいて、前記第2のデバイスに前記第3のメッセージを送信し、そして、前記第3のメッセージに基づいて、前記第2のデバイスへの前記接続を確立する。
【００２５】
第3の態様に関して、第3の態様の第2の可能な実装において、前記ページング機会が前記第2のデバイスの前記ページング機会である場合に、前記送信ユニットは、特に、前記第2のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスの前記ページング機会において前記第2のページングメッセージを受信し、その後、前記第1のデバイスは、前記第2のページングメッセージに基づいて、前記第2のデバイスに前記第3のメッセージを送信し、そして、前記第3のメッセージに基づいて、前記第2のデバイスへの前記接続を確立する。
【００２６】
第3の態様に関して、第3の態様の第3の可能な実装において、前記ページング機会が前記第1のデバイスの前記ページング機会である場合に、前記送信ユニットは、特に、前記第1のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスに前記第3のメッセージを送信し、そして、前記第3のメッセージに基づいて、前記第2のデバイスへの前記接続を確立する。
【００２７】
第3の態様又は第3の態様の第1乃至第3の可能な実装のうちのいずれか1つに関して、第3の態様の第4の可能な実装において、前記決定ユニットは、特に、前記第1のデバイスの識別子に基づいて、前記第1のデバイスの前記ページング機会を算出し、及び/又は、前記第2のデバイスの前記識別子に基づいて、前記第2のデバイスの前記ページング機会を算出する、ように構成される。
【００２８】
第4の態様によれば、ある1つの第1のデバイスが開示される。その第1のデバイスは、
基地局が送信した第2のメッセージを受信するように構成される受信ユニットであって、前記第2のメッセージは、第2のデバイスの識別子を搬送する、受信ユニットと、前記第2のデバイスに対してページングが行われるということを、前記第2のメッセージの中で搬送される前記第2のデバイスの前記識別子に基づいて決定するように構成される決定ユニットと、前記第2のデバイスに第3のメッセージを送信して、前記第3のメッセージに基づいて前記第2のデバイスへの接続を確立するように構成される送信ユニットと、を含む。
【００２９】
第4の態様に関して、第4の態様の第1の可能な実装において、前記受信ユニットは、特に、前記第1のデバイスのページング機会において第1のページングメッセージを受信するように構成され、前記第1のページングメッセージは、前記第1のデバイスに対してページングを行うのに使用され、前記第1のページングメッセージは、前記第2のデバイスの前記識別子を搬送する。
【００３０】
第4の態様の第1の可能な実装に関して、第4の態様の第2の可能な実装において、前記決定ユニットは、特に、前記第2のデバイスに対してページングが行われるということを、前記第1のページングメッセージの中で搬送される前記第2のデバイスの前記識別子に基づいて決定するように構成される。
【００３１】
第4の態様に関して、第4の態様の第3の可能な実装において、前記受信ユニットは、特に、前記第2のデバイスのページング機会において第2のページングメッセージを受信するように構成され、前記第2のページングメッセージは、前記第2のデバイスに対してページングを行うのに使用され、前記第2のページングメッセージは、前記第2のデバイスの前記識別子を搬送する。
【００３２】
第4の態様の第3の可能な実装に関して、第4の態様の第4の可能な実装において、前記決定ユニットは、特に、前記第2のデバイスに対してページングが行われるということを、前記第2のページングメッセージの中で搬送される前記第2のデバイスの前記識別子に基づいて決定するように構成される。
【００３３】
第4の態様に関して、第4の態様の第5の可能な実装において、前記受信ユニットは、特に、前記第1のデバイスのページング機会において第2のページングメッセージを受信するように構成され、前記第2のページングメッセージは、前記第2のデバイスに対してページングを行うのに使用され、前記第2のページングメッセージは、前記第2のデバイスの前記識別子を搬送する。
【００３４】
第4の態様の第5の可能な実装に関して、第4の態様の第6の可能な実装において、前記決定ユニットは、特に、前記第2のデバイスに対してページングが行われるということを、前記第2のページングメッセージの中で搬送される前記第2のデバイスの前記識別子に基づいて決定するように構成される。
【００３５】
第4の態様又は第4の態様の第1乃至第6の可能な実装のうちのいずれか1つに関して、第4の態様の第7の可能な実装において、当該第1のデバイスは、演算ユニットをさらに含み、
前記演算ユニットは、第3のメッセージを送信する時間点を算出するように構成され、そして、前記送信ユニットは、前記第3のメッセージを送信する時間点において、前記第2のデバイスに前記第3のメッセージを送信するように構成されるか、又は、前記演算ユニットは、メッセージを送信する時間長を算出するように構成され、そして、前記送信ユニットは、前記メッセージを送信する時間長の中で、前記第2のデバイスに前記第3のメッセージを送信するように構成されるか、又は、前記送信ユニットは、前記第2のデバイスに前記第3のメッセージを送信し、そして、前記受信ユニットが前記第2のデバイスからフィードバックメッセージを受信する場合には、前記第2のデバイスへの前記第3のメッセージの送信を停止する、ように構成される。
【００３６】
第5の態様によれば、ある1つの基地局が開示される。その基地局は、
ネットワーク側デバイスが送信した第1のメッセージを受信するように構成されるトランシーバーであって、前記第1のメッセージは、第2のデバイスに対してページングを行うように当該基地局に指示するのに使用される、トランシーバーと、ページング機会を決定するように構成されるプロセッサであって、前記ページング機会は、第1のデバイスのページング機会及び/又は前記第2のデバイスのページング機会である、プロセッサと、前記ページング機会において第2のメッセージを送信するように構成されるトランシーバーと、を含み、前記第2のメッセージは、前記第2のデバイスの識別子を搬送し、それによって、前記第1のデバイスは、前記第2のメッセージに基づいて、前記第2のデバイスに第3のメッセージを送信し、そして、前記第3のメッセージに基づいて、前記第2のデバイスへの接続を確立する。
【００３７】
第5の態様に関して、第5の態様の第1の可能な実装において、前記ページング機会が、前記第1のデバイスの前記ページング機会及び前記第2のデバイスの前記ページング機会である場合に、前記トランシーバーは、特に、前記第1のデバイスの前記ページング機会において第1のページングメッセージを送信するように構成され、前記第1のページングメッセージは、前記第1のデバイスに対してページングを行うのに使用され、前記第1のページングメッセージは、前記第2のデバイスの前記識別子を搬送し、前記第2のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスの前記識別子に基づいて、前記第2のデバイスに前記第3のメッセージを送信し、そして、前記第3のメッセージに基づいて、前記第2のデバイスへの前記接続を確立する。
【００３８】
第5の態様に関して、第5の態様の第2の可能な実装において、前記ページング機会が前記第2のデバイスの前記ページング機会である場合に、前記トランシーバーは、特に、前記第2のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスに前記第3のメッセージを送信し、そして、前記第3のメッセージに基づいて、前記第2のデバイスへの前記接続を確立する。
【００３９】
第5の態様に関して、第5の態様の第3の可能な実装において、前記ページング機会が前記第1のデバイスの前記ページング機会である場合に、前記トランシーバーは、特に、前記第1のデバイスの前記ページング機会において第2のページングメッセージを送信するように構成され、前記第2のページングメッセージは、前記第2のデバイスに対してページングを行うのに使用され、前記第2のページングメッセージは、前記第2のデバイスの前記識別子を搬送し、それによって、前記第1のデバイスは、前記第2のデバイスに前記第3のメッセージを送信し、そして、前記第3のメッセージに基づいて、前記第2のデバイスへの前記接続を確立する。
【００４０】
第5の態様又は第5の態様の第1乃至第3の可能な実装のうちのいずれか1つに関して、第5の態様の第4の可能な実装において、前記プロセッサは、特に、前記第1のデバイスの識別子に基づいて、前記第1のデバイスの前記ページング機会を算出し、及び/又は、前記第2のデバイスの前記識別子に基づいて、前記第2のデバイスの前記ページング機会を算出する、ように構成される。
【００４１】
第6の態様によれば、ある1つの第1のデバイスが開示される。その第1のデバイスは、
基地局が送信した第2のメッセージを受信するように構成されるトランシーバーであって、前記第2のメッセージは、第2のデバイスの識別子を搬送する、トランシーバーと、前記第2のデバイスに対してページングが行われるということを、前記第2のメッセージの中で搬送される前記第2のデバイスの前記識別子に基づいて決定するように構成されるプロセッサと、前記第2のデバイスに第3のメッセージを送信して、前記第3のメッセージに基づいて前記第2のデバイスへの接続を確立するように構成されるトランシーバーと、を含む。
【００４２】
第6の態様に関して、第6の態様の第1の可能な実装において、前記トランシーバーは、特に、前記第1のデバイスのページング機会において第1のページングメッセージを受信するように構成され、前記第1のページングメッセージは、前記第1のデバイスに対してページングを行うのに使用され、前記第1のページングメッセージは、前記第2のデバイスの前記識別子を搬送する。
【００４３】
第6の態様の第1の可能な実装に関して、第6の態様の第2の可能な実装において、前記プロセッサは、特に、前記第2のデバイスに対してページングが行われるということを、前記第1のページングメッセージの中で搬送される前記第2のデバイスの前記識別子に基づいて決定するように構成される。
【００４４】
第6の態様に関して、第6の態様の第3の可能な実装において、前記トランシーバーは、特に、前記第2のデバイスのページング機会において第2のページングメッセージを受信するように構成され、前記第2のページングメッセージは、前記第2のデバイスに対してページングを行うのに使用され、前記第2のページングメッセージは、前記第2のデバイスの前記識別子を搬送する。
【００４５】
第6の態様の第3の可能な実装に関して、第6の態様の第4の可能な実装において、前記プロセッサは、特に、前記第2のデバイスに対してページングが行われるということを、前記第2のページングメッセージの中で搬送される前記第2のデバイスの前記識別子に基づいて決定するように構成される。
【００４６】
第6の態様に関して、第6の態様の第5の可能な実装において、前記トランシーバーは、特に、前記第1のデバイスのページング機会において第2のページングメッセージを受信するように構成され、前記第2のページングメッセージは、前記第2のデバイスに対してページングを行うのに使用され、前記第2のページングメッセージは、前記第2のデバイスの前記識別子を搬送する。
【００４７】
第6の態様の第5の可能な実装に関して、第6の態様の第6の可能な実装において、前記プロセッサは、特に、前記第2のデバイスに対してページングが行われるということを、前記第2のページングメッセージの中で搬送される前記第2のデバイスの前記識別子に基づいて決定するように構成される。
【００４８】
第6の態様又は第6の態様の第1乃至第6の可能な実装のうちのいずれか1つに関して、第6の態様の第7の可能な実装において、
前記プロセッサは、第3のメッセージを送信する時間点を算出するように構成され、そして、前記トランシーバーは、前記第3のメッセージを送信する時間点において、前記第2のデバイスに前記第3のメッセージを送信するように構成されるか、又は、前記プロセッサは、メッセージを送信する時間長を算出するように構成され、そして、前記トランシーバーは、前記メッセージを送信する時間長の中で、前記第2のデバイスに前記第3のメッセージを送信するように構成されるか、又は、前記トランシーバーは、前記第2のデバイスに前記第3のメッセージを送信し、そして、前記トランシーバーが前記第2のデバイスからフィードバックメッセージを受信する場合には、前記第2のデバイスへの前記第3のメッセージの送信を停止する、ように構成される。
【図面の簡単な説明】
【００４９】
本発明の複数の実施形態にしたがった又は従来技術にしたがった複数の技術的解決方法をより明確に説明するために、以下の記載は、それらの複数の実施形態又は従来技術を説明するのに必要となる複数の添付の図面を簡潔に説明する。明らかなことではあるが、以下の説明の中の複数の添付の図面は、本発明の複数の実施形態のうちのいくつかを示しているにすぎず、当業者は、さらに、創造的な努力を行うことなく、これらの複数の添付の図面から他の図面を導き出すことが可能である。
【００５０】
【図１】PF及びPOのフレーム構造の概略的な図である。
【図２】本発明のある1つの実施形態にしたがった中継システムのアーキテクチャ図である。
【図３】本発明のある1つの実施形態にしたがったアクセス方法の概略的なフローチャートである。
【図４】本発明のある1つの実施形態にしたがってWDに対してページングを行う時間シーケンスの概略的な図である。
【図５】本発明のある1つの実施形態にしたがってUEによって第3のメッセージを送信する方法の概略的な図である。
【図６】本発明のある1つの実施形態にしたがってWDに対してページングを行う時間シーケンスの他の概略的な図である。
【図７】本発明のある1つの実施形態にしたがってWDに対してページングを行う時間シーケンスの他の概略的な図である。
【図８】本発明のある1つの実施形態にしたがった基地局の構造的なブロック図である。
【図９】本発明のある1つの実施形態にしたがった基地局の他の構造的なブロック図である。
【図１０】本発明のある1つの実施形態にしたがった第1のデバイスの構造的なブロック図である。
【図１１】本発明のある1つの実施形態にしたがった第1のデバイスの他の構造的なブロック図である。
【発明を実施するための形態】
【００５１】
以下の記載は、本発明の複数の実施形態にしたがった複数の添付の図面を参照して、本発明の複数の実施形態にしたがった複数の技術的解決方法を明確かつ完全に説明する。明らかなことではあるが、それらの説明される実施形態は、本発明のそれらの複数の実施形態のすべてではなく一部にすぎない。創造的な努力を行うことなく本発明の複数の実施形態に基づいて当業者が得ることが可能であるすべての他の実施形態は、本発明の保護範囲に属するものとする。
【００５２】
D2D中継リンクにおいては、第1のデバイスを使用することによって、第2のデバイスをネットワークに接続してもよい。
【００５３】
通常は、第2のデバイスは、小さな体積、小さなバッテリー容量、及び低い無線周波数能力を有している。したがって、第2のデバイスのスタンバイ時間を長くするためには、その第2のデバイスが消費する電力を低減する必要がある。第1のデバイスは、高性能デバイスであり、中継ノードとして使用されて、低性能デバイスがネットワークに接続するのを支援してもよく、それにより、第2のデバイスの電力消費を低減する。
【００５４】
特定の実装の間、第2のデバイスは、ウェアラブルデバイス(Wearable  Device,  WD)であってもよく、第1のデバイスは、スマートフォン等のユーザ機器(User  Equipment,  UE)であってもよい。UEは、複数のWDを中継してもよい。
【００５５】
将来的に、人間は、さまざまなインテリジェントウェアラブルデバイスを身に付ける。データを伝送し、或いは、音声電話サービスを確立するためには、これらのデバイスをネットワークに接続する必要がある。スマートフォンを中継器として使用することによって、これらのウェアラブルデバイスをネットワークに接続してもよい。例えば、ウェアラブルデバイスは、携帯電話を使用することによって、ネットワークに血圧及び心拍数等の健康データをアップロードしてもよい。
【００５６】
したがって、ウェアラブルデバイスによってUEにアクセスする方法を研究する必要がある。加えて、基地局又は携帯電話によってウェアラブルデバイスに対してページングを行う解決方法及びページングを受信した後にそのウェアラブルデバイスによってそのUEにアクセスする解決方法も同様に研究する必要がある。
【００５７】
本発明は、ネットワーク側によってウェアラブルデバイスに対してページングを行う手順を提供する。具体的には、基地局は、UE(第1のデバイス)のページング機会及び/又はウェアラブルデバイス(第2のデバイス)のページング機会において、ウェアラブルデバイスに対してページングを行ってもよい。ウェアラブルデバイスに対してページングが行われるということを決定した後に、そのUEは、そのウェアラブルデバイスにある特定のメッセージを送信する。そのメッセージを受信した後に、そのウェアラブルデバイスは、そのメッセージに基づいてUEを識別し、そして、そのUEへの接続を確立してもよい。
【００５８】
最初に、本発明における複数の技術用語が、以下のように説明される。
【００５９】
(1)  ページング
ブロードキャストするのとは異なり、ページングは、対象を絞った方式によって一部のデバイスに送信されるpaging(ページング)メッセージをいう。
【００６０】
例えば、ネットワーク側が、ECM-IDLE状態(すなわち、アイドル状態)にあるUEにダウンリンクデータを送信する必要があるときに、MME(Mobility  Management  Entity,  移動性管理エンティティ)は、UEが登録するすべてのTA(Tracking  Areas)の中にあるすべてのeNodeBにページングメッセージを送信する。その後、そのeNodeBは、無線インターフェイスを使用することによってUEにページングメッセージを送信して、そのUEに対してページングを行う。UEがRRC_IDLE状態(すなわち、アイドル状態)にある場合には、そのページングメッセージを受信した後に、そのUEは、RRC接続確立プロセスを開始して、呼を受信してもよい。
【００６１】
(2)  ページング機会
通常、(例えば、UE等の)デバイスの不連続受信サイクル(Discontinuous  Reception,  DRX)の中の(PFと称される)ある特定のフレームにおいて、そのUEは、そのPFの(POと称される)ある特定のサブフレームの中でページングメッセージを受信するように試みる。POは、無線フレーム(すなわち、PF)の中でページングメッセージを送信し/受信するためのサブフレームの番号をいう。本明細書にいうPOは、ページング機会である。
【００６２】
PFは、LTE無線インターフェイスを介してページングを送信するための無線フレームの番号を指し、無線フレームであるということに留意すべきである。例えば、図1に示されているように、PFは、1つ又は複数のPOを含んでもよい。PF及びPOは、共に、LTE無線インターフェイスのページング機会、すなわち、そのUEが、DRXにおいてアイドル状態から目覚めて、ページングを受信する機会を構成する。
【００６３】
本発明のある1つの実施形態は、中継システムを提供する。例えば、図2に示されているように、その中継システムは、基地局、少なくとも1つの第1のデバイス、及び、その第1のデバイスと対を構成する少なくとも1つの第2のデバイスを含む。その第1のデバイスは、その基地局との間で直接的にデータ伝送を実行してもよい。その第2のデバイスは、その第1のデバイスを使用することによって、ネットワークにアクセスして、その第1のデバイスを中継器として使用することによって、その基地局との間でデータ伝送を実装してもよい。その基地局は、eNB(E-UTRAN  NodeB)であってもよく、その第1のデバイスは、UEであってもよく、そして、そのUEと対を構成するその第2のデバイスは、WD1及びWD2であってもよい。
【００６４】
さらに、本発明のある1つの実施形態は、アクセス方法を提供する。その方法においては、第1のデバイス及び第2のデバイスは、対にされ、他方のデバイスの識別子(ID)を記録する。加えて、第1のデバイスは、RRC_IDLE状態にある。図3に示されているように、その方法は、以下のステップを含む。
【００６５】
S1:  基地局は、ネットワーク側デバイスが送信した第1のメッセージを受信する。
【００６６】
特定の実装の間、第1のメッセージは、その第2のデバイスに対してページングを行うようにその基地局に指示するのに使用される。例えば、MMEがその第2のデバイスにダウンリンクデータを送信する必要があるとき等、そのネットワーク側デバイス(MME)が、その第2のデバイスに対してページングを行う必要があるとき、そのMMEは、第1のデバイスに第1のメッセージを送信して、全体的なページングプロセスを開始する。
【００６７】
第1のメッセージは、また、ページングメッセージでもあり、そのネットワーク側デバイスが第2のデバイスにダウンリンクデータを送信する必要があるということを示すのに使用されるということに留意すべきである。そのメッセージを受信した後に、その基地局は、第2のデバイスに対してページングを行う手順を開始する。
【００６８】
S2:  基地局は、ページング機会を決定し、そのページング機会は、第1のデバイスのページング機会及び/又は第2のデバイスのページング機会である。
【００６９】
特定の実装の間、基地局は、第1のデバイスの識別子及びその第1のデバイスのパラメータに基づいて、その第1のデバイスのページング機会を算出し、及び/又は、
基地局は、第2のデバイスの識別子及びその第2のデバイスのパラメータに基づいて、その第2のデバイスのページング機会を算出する。
【００７０】
具体的には、PFは、式(a)、すなわち、
SFN  mod  T＝(T  div  N)＊(UE_ID  mod  N)    (a)
を満たすシステムフレームである。POは、インデックスi_sを使用することによって、表1(PF/PO式のパラメータ説明テーブル)を検索することによって取得されてもよい。i_sは、式(b)、すなわち、
i_s＝floor(UE_ID/N)  mod  Ns    (b)
を使用することによって取得される。UEごとに、PFは、第2のメッセージ(paging)を送信するのに使用されるシステムフレームであり、POは、そのPFの中でページングを送信するのに使用されるサブフレームである。
【表１】
2019525594.tif 000015
【００７１】
T  div  Nは、1つのDRXサイクルがN個の部分に等しく分割された後の、各々の部分の中のシステムフレームの数に相当するということに留意すべきである。UE_ID  mod  Nは、それらのN個の部分の中の(UE_ID  mod  N)番目の部分に相当する((UE_ID  mod  N)の値は、0からN−1にまで及ぶ)。PFは、その(UE_ID  mod  N)番目の部分の中の最初のシステムフレームである。
【００７２】
S3:  基地局は、そのページング機会において第2のメッセージを送信し、その第2のメッセージは、第2のデバイスの識別子を搬送する。
【００７３】
特定の実装の間、基地局は、以下の3つの方式にしたがって第2のメッセージを送信してもよい。
【００７４】
第1に、そのページング機会が、第1のデバイスのページング機会及び第2のデバイスのページング機会である場合に、
基地局は、第1のデバイスのページング機会において第1のページングメッセージを送信し、第2のデバイスのページング機会において第2のページングメッセージを送信し、それによって、第1のデバイスは、第1のデバイスのページング機会において第1のページングメッセージを受信した後に、第2のデバイスに対してページングが実行されるということを、第2のデバイスの識別子に基づいて決定し、そして、第2のデバイスに第3のメッセージを送信して、第3のメッセージに基づいて、第2のデバイスへの接続を確立する。
【００７５】
第1のページングメッセージは、第1のデバイスに対してページングを行うのに使用され、第1のページングメッセージは、第2のデバイスの識別子を搬送する。第2のページングメッセージは、第2のデバイスに対してページングを実行するのに使用され、第2のデバイスの識別子を搬送する。
【００７６】
第2に、ページング機会が第2のデバイスのページング機会である場合に、
基地局は、第2のデバイスのページング機会において第2のページングメッセージを送信し、第2のページングメッセージは、第2のデバイスに対してページングを行うのに使用され、第2のデバイスの識別子を搬送し、それによって、第1のデバイスは、第2のデバイスのページング機会において第2のページングメッセージを受信した後に、第2のデバイスに対してページングが行われるということを決定し、そして、第2のデバイスに第3のメッセージを送信して、第3のメッセージに基づいて、第2のデバイスへの接続を確立する。
【００７７】
第3に、ページング機会が第1のデバイスのページング機会である場合に、
基地局によって、ページング機会において第2のメッセージを送信することは、特に、
基地局によって、第1のデバイスのページング機会において第2のページングメッセージを送信することを含み、第2のページングメッセージは、第2のデバイスに対してページングを行うのに使用され、第2のデバイスの識別子を搬送し、それによって、第1のデバイスは、第2のデバイスに対してページングが行われるということを、第1のデバイスのページング機会において検出し、そして、第2のデバイスに第3のメッセージを送信して、第3のメッセージに基づいて、第2のデバイスへの前記接続を確立する。
【００７８】
S4:  第1のデバイスは、基地局が送信した第2のメッセージを受信する。
【００７９】
基地局によって第2のメッセージを送信する上記の3つの方式に対して、本明細書においては、同様に、第1のデバイスによって第2のメッセージを受信する3つの方式が存在する。
【００８０】
第1に、第1のデバイスは、第1のデバイスのページング機会において第1のページングメッセージを受信し、第1のページングメッセージは、第1のデバイスに対してページングを行うのに使用され、第1のページングメッセージは、第2のデバイスの識別子を搬送する。
【００８１】
第2に、第1のデバイスは、第2のデバイスのページング機会において第2のページングメッセージを受信し、第2のページングメッセージは、第2のデバイスに対してページングを行うのに使用される。
【００８２】
第3に、第1のデバイスは、第1のデバイスのページング機会において第2のページングメッセージを受信し、第2のページングメッセージは、第2のデバイスに対してページングを行うのに使用される。
【００８３】
S5:  第1のデバイスは、第2のデバイスに対してページングが行われるということを、その第2のメッセージに基づいて決定する。
【００８４】
受信したページングメッセージが異なる場合には、第2のデバイスに対してページングが行われるということを決定する特定の方法は、それ対応して異なる。具体的には、その方法は、
第2のデバイスに対してページングが行われるということを、第1のページングメッセージの中で搬送される第2のデバイスの識別子に基づいて、第1のデバイスによって決定するステップ、又は、
第2のデバイスに対してページングが行われるということを、第2のページングメッセージの中で搬送される第2のデバイスの識別子に基づいて、第1のデバイスによって決定するステップ、を含む。
【００８５】
S6:  第1のデバイスは、第2のデバイスに第3のメッセージを送信して、第3のメッセージに基づいて、第2のデバイスへの接続を確立する。
【００８６】
特定の実装の間、
第1のデバイスによって、第3のメッセージを送信する時間点を算出し、そして、第3のメッセージを送信する時間点において、第2のデバイスに第3のメッセージを送信する方式、又は、
第1のデバイスによって、メッセージを送信する時間長を算出し、そして、メッセージを送信する時間長の中で、第2のデバイスに第3のメッセージを送信する方式、又は、
第1のデバイスによって第2のデバイスに第3のメッセージを送信し、そして、第2のデバイスからフィードバックメッセージを受信する場合には、第2のデバイスへの第3のメッセージの送信を停止する方式、という、第1のデバイスによって第2のデバイスに第3のメッセージを送信する3つの方式が存在する。
【００８７】
第1のデバイスは、第2のデバイスに第3のメッセージを送信する。第3のメッセージを受信した後に、第2のデバイスは、第1のデバイスと同期し、第1のデバイスについての測定を行って第1のデバイスを識別し、そして、第1のデバイスを使用することによってネットワークにアクセスする。加えて、第2のデバイスと第1のデバイスとの間の接続は、NFCC(近距離通信)接続であってもよい。したがって、第2のデバイスの電力消費を低減させることが可能であるとともに、第2のデバイスの送信速度を改善することが可能である。
【００８８】
実施形態1
【００８９】
本発明のある1つの実施形態は、アクセス方法を提供する。eNodeBは、UE(第1のデバイス)と直接的に対話することが可能であり、WD(第2のデバイス)は、UEを中継器として使用することによって、eNodeBへの接続を確立する必要がある。WDに対してページングを行い、それによって、WDがUEにアクセスする手順は、図4を参照して以下で詳細に説明される。
【００９０】
101:  MMEがWDにダウンリンクデータを送信する必要があるときに、そのMMEは、eNodeBに第1のメッセージを送信する。
【００９１】
第1のメッセージは、また、ページングメッセージであり、第2のデバイスに対してページングを行うように基地局に指示するのに使用される。第2のデバイスにダウンリンクデータを送信する必要があるときに、そのネットワーク側デバイスは、eNodeBに第1のメッセージを送信する。そのメッセージを受信した後に、その基地局は、WDに対してページングを行う手順を開始する。
【００９２】
102:  eNodeBは、MMEが送信した第1のメッセージを受信し、そのメッセージの中で示されているWDのID(識別子)に基づいて、そのWDのページング機会PO1を算出し、そして、そのメッセージの中で示されているUEのID(識別子)に基づいて、そのUEのページング機会PO2を算出する。
【００９３】
103:  eNodeBは、UEのページング機会PO2において、そのUEに対してページングを行う。
【００９４】
具体的には、第1のページングメッセージは、PO2においてUEに送信され、第1のページングメッセージは、WDのIDを搬送する。
【００９５】
104:  eNodeBは、WDのページング機会PO1においてそのWDに対してページングを行う。
【００９６】
具体的には、第2のページングメッセージは、PO1においてWDに送信され、そのWDに対してページングを行うのに使用される。加えて、第2のページングメッセージは、また、そのWDのIDを搬送する。
【００９７】
105:  UEは、第1のページングメッセージを受信し、そして、その第1のページングメッセージの中で搬送されるWDのIDを識別した後に、そのWDに第3のメッセージを送信する。
【００９８】
具体的には、UEは、PO2において、基地局からページングメッセージを受信する。もちろん、WDは、また、そのWDのページング機会PO1において目覚めて、その基地局から第2のページングメッセージを受信する。加えて、UEは、さらに、図5に示されている3つの方式に準拠して、WDに第3のメッセージを送信してもよく、それらの3つの方式は、特に、
a.  第3のメッセージを送信する時間点Tを算出し、その第3のメッセージを送信する時間点Tにおいて、WDに第3のメッセージを送信するステップ、又は、
b.  メッセージを送信する時間長を算出し、そのメッセージを送信する時間長の中で、WDに第3のメッセージを送信するステップ、すなわち、ある時間期間の中でそのWDに第3のメッセージを連続的に送信するステップ、又は、
c.  その第1のページングメッセージを受信した後に、UEによってWDに第3のメッセージを連続的に送信し、WDからフィードバックメッセージを受信する場合には、そのWDへの第3のメッセージの送信を停止するステップ、を含む。
【００９９】
106:  WDは、第3のメッセージを受信し、その第3のメッセージに基づいてUEを識別し、そして、そのUEへの接続を確立する。
【０１００】
本明細書におけるUE及びWDは、ステップ101の前に、互いに対して対を構成するようにされており、互いのIDを知っているということに留意すべきである。加えて、UEは、RRC_IDLE状態にある。ページングプロセスの理解を容易にするために、図4は、時間シーケンスのうちの上記のステップ103乃至105のみを示し、上記の方法における残りのステップを示さないが、上記の方法がこれらのステップを含まないということを示すものではない。
【０１０１】
実施形態2
【０１０２】
本発明のある1つの実施形態は、アクセス方法を提供する。eNodeBは、UEと直接的に対話することが可能であり、WDは、UEを中継器として使用することによって、eNodeBへの接続を確立する必要がある。WDに対してページングを行い、それによって、WDがUEにアクセスする手順は、図6を参照して以下で詳細に説明される。
【０１０３】
201:  MMEがWDにダウンリンクデータを送信する必要があるときに、そのMMEは、eNodeBに第1のメッセージを送信する。
【０１０４】
202:  eNodeBは、MMEが送信した第1のメッセージを受信し、そのメッセージの中で示されているWDのID(識別子)に基づいて、そのWDのページング機会PO1を算出する。
【０１０５】
この実施形態におけるステップ201及び202は、上記の実施形態におけるステップ101及び102と同じであり、本明細書においては、詳細は、繰り返しては説明されない。
【０１０６】
203:  eNodeBは、WDのページング機会PO1において、そのWDに対してページングを行う。
【０１０７】
具体的には、第2のページングメッセージは、PO1においてWDに送信され、そのWDに対してページングを行うのに使用される。
【０１０８】
204:  UEは、第2のページングメッセージを受信する。
【０１０９】
具体的には、UEは、WDのパラメータに基づいて、そのWDのページング機会PO1を算出し、そのPO1において目覚めて、第2のページングメッセージを受信し、そして、さらに、そのWDに対してページングが行われるということを決定する。
【０１１０】
加えて、WDは、代替的、そのWDのページング機会、すなわち、PO1において目覚めて、第2のページングメッセージを受信してもよい。
【０１１１】
205:  UEは、WDに第3のメッセージを送信する。
【０１１２】
UEは、第2のページングメッセージを受信した後に、WDに第3のメッセージを送信する。加えて、UEは、さらに、図5に示されている3つの方式に準拠して、WDに第3のメッセージを送信してもよく、本明細書においては、詳細は繰り返しては説明されない。
【０１１３】
206:  WDは、第3のメッセージを受信し、その第3のメッセージに基づいてUEを識別し、そして、そのUEへの接続を確立する。
【０１１４】
本明細書においては、UE及びWDは、ステップ101の前に、互いに対して対を構成するようにされており、互いのIDを知っているということに留意すべきである。加えて、UEは、RRC_IDLE状態にある。
【０１１５】
実施形態3
【０１１６】
本発明のある1つの実施形態は、アクセス方法を提供する。eNodeBは、UEと直接的に対話することが可能であり、WDは、UEを中継器として使用することによって、eNodeBへの接続を確立する必要がある。WDに対してページングを行い、それによって、WDがUEにアクセスする手順は、図7を参照して以下で詳細に説明される。
【０１１７】
301:  MMEがWDにダウンリンクデータを送信する必要があるときに、そのMMEは、eNodeBに第1のメッセージを送信する。
【０１１８】
この実施形態におけるステップ301は、上記の実施形態におけるステップ101と同じであり、本明細書においては、詳細は、繰り返しては説明されない。
【０１１９】
302:  eNodeBは、MMEが送信した第1のメッセージを受信し、そして、ページング機会がUEのPO2であるということを決定する。
【０１２０】
303:  eNodeBは、UEのページング機会PO2において、WDに対してページングを行う。
【０１２１】
具体的には、第2のページングメッセージは、PO1においてWDに送信され、そのWDに対してページングを行うのに使用される。加えて、第2のページングメッセージは、さらに、そのWDのIDを搬送する。
【０１２２】
304:  WDは、UEのパラメータに基づいて、そのUEのページング機会PO2を算出し、そして、PO2において目覚めて、eNodeBが送信した第2のページングメッセージを受信する。
【０１２３】
305:  UEは、そのUEのページング機会PO2において目覚めて、第2のページングメッセージを受信する。
【０１２４】
もちろん、UEは、WDについてページングが行われるということを、第2のページングメッセージの中で搬送されるそのWDのIDに基づいて決定し、そして、さらに、ステップ306を実行することをトリガする。
【０１２５】
306:  UEは、WDに第3のメッセージを送信する。
【０１２６】
UEは、さらに、図5に示されている3つの方式に準拠して、WDに第3のメッセージを送信してもよく、本明細書においては、詳細は繰り返しては説明されない。
【０１２７】
307:  WDは、第3のメッセージを受信し、その第3のメッセージに基づいてUEを識別し、そして、そのUEへの接続を確立する。
【０１２８】
本明細書においては、UE及びWDは、ステップ101の前に、互いに対して対を構成するようにされており、互いのIDを知っているということに留意すべきである。加えて、UEは、RRC_IDLE状態にある。
【０１２９】
本発明にしたがって提供されるアクセス方法においては、WD(第2のデバイス)へのダウンリンクデータの送信が必要となるときに、ネットワーク側デバイスは、基地局を使用することによって、第2のデバイスに対するページングを開始してもよく、基地局は、UE(第1のデバイス)のページング機会及び/又はWDのページング機会において、第2のメッセージを送信する。さらに、UEは、WDに対してページングが行われるということを、第2のメッセージの中で搬送されるそのWDの識別子に基づいて決定し、そして、そのWDに第3のメッセージを送信してもよい。その第3のメッセージを受信した後に、WDは、その第3のメッセージに基づいて、UEと同期し、そのUEを識別し、そして、最後に、そのUEへの接続を確立してもよい。その後、ネットワーク側デバイスは、WDに送信することが必要であるダウンリンクデータをUEに送信してもよく、そのUEは、そのダウンリンクデータをWDへと中継する。上記の手順は、ウェアラブルデバイス(第2のデバイス)がUEにアクセスするのを可能とする。D2Dのシナリオにおいて、ウェアラブルデバイスは、そのUEを中継器として使用することによって、ネットワーク側との間でデータ伝送を実行することが可能である。
【０１３０】
上記の記載は、主として、複数のネットワーク要素の間の対話の観点から、本発明の複数の実施形態にしたがって提供される複数の解決方法を説明している。上記の複数の機能を達成するために、基地局及びUE(第1のデバイス)等のネットワーク要素は、それらの複数の機能を実行するための対応するハードウェア構成及び/又はソフトウェアモジュールを含むということを理解することが可能である。当業者は、本発明にしたがったハードウェアによって又はハードウェアとコンピュータソフトウェアとの組み合わせによって、本明細書において開示されているそれらの複数の実施形態を参照して説明されているユニット及びアルゴリズムステップの複数の例を実装することが可能であるということを容易に理解するはずである。それらの複数の機能を、ハードウェアによって実行するか、或いは、ハードウェアを駆動するコンピュータソフトウェアによって実行するかは、技術的解決方法の特定の応用及び設計上の制約条件によって決まる。当業者は、複数の異なる方法を使用して、各々の特定の応用について、説明された機能を実装してもよいが、その実装が、本発明の範囲を超えると解釈されるべきではない。
【０１３１】
本発明の複数の実施形態においては、上記の方法の複数の例に基づいて、基地局及びUE(第1のデバイス)等において、機能モジュールの分割を実行してもよい。例えば、複数の機能に対応して、機能モジュールを分割してもよい。代替的に、2つ又はそれ以上の機能を一体化して、1つの処理モジュールとしてもよい。ハードウェアの形態で、或いは、ソフトウェア機能モジュールの形態で、その一体化されたモジュールを実装してもよい。本発明の複数の実施形態にしたがったモジュールの分割は、ある1つの例であり、論理的な機能の分割にすぎないということに留意すべきである。実際の実装においては、他の分割手法が存在する場合がある。
【０１３２】
それらの複数の機能モジュールが機能に対応して分割される場合に、図8は、上記の実施形態にしたがった基地局の可能な概略的な構成図である。その基地局は、受信ユニット401、決定ユニット402、及び送信ユニット403を含む。受信ユニット401は、その基地局が、図3のプロセスS1、図4のプロセス102、図6のプロセス202、及び図7のプロセス302を実行するのを支援するように構成される。決定ユニット402は、その基地局が、図3のプロセスS2、図4のプロセス102、図6のプロセス202、及び図7のプロセス302を実行するのを支援するように構成される。送信ユニット403は、その基地局が、図3のプロセスS3、図4のプロセス103、図6のプロセス203、及び図7のプロセス303を実行するのを支援するように構成される。それらの対応する機能モジュールの機能的な説明については、上記の方法の実施形態における複数のステップのすべての関連する内容を参照してもよい。本明細書においては、詳細は繰り返しては説明されない。
【０１３３】
受信ユニット401は、基地局のトランシーバーであってもよい。送信ユニット403は、基地局のトランシーバーであってもよい。その受信ユニット401及びその送信ユニット403を共に一体化して、基地局の1つのトランシーバーを形成してもよい。決定ユニット402を一体化して、基地局のプロセッサとしてもよい。そのプロセッサは、メモリの中のコードを呼び出して、その決定ユニットの上記の機能を実行する。
【０１３４】
図9を参照すると、基地局は、プロセッサ501、トランシーバー502、メモリ503、及びバス504を含む。トランシーバー502、プロセッサ501、及びメモリ503は、バス504を使用することによって、互いに接続されている。バス504は、周辺機器構成要素相互接続(Peripheral  Component  Interconnect,  PCI)バス又は拡張業界標準アーキテクチャ(Extended  Industry  Standard  Architecture,  EISA)バス等であってもよい。アドレスバス、データバス、又は制御バス等に、それらのバスを分類してもよい。指示を容易にするために、それらのバスは、図9の中で1つのみの太線を使用することによって示されている。一方で、このことは、1つのみのバスが存在する、或いは、1つの種類のバスのみが存在するということを示すものではない。
【０１３５】
機能モジュールが複数の機能に対応して分割される場合に、図10は、上記の実施形態にしたがった第1のデバイスの可能な概略的な構成図である。その第1のデバイスは、受信ユニット601、決定ユニット602、及び送信ユニット603を含む。受信ユニット601は、その第1のデバイスが、図3のプロセスS4、図4のプロセス105、図6のプロセス204、及び図7のプロセス305を実行するのを支援するように構成される。決定ユニット602は、その第1のデバイスが、図3のプロセスS5、図4のプロセス105、図6のプロセス204において第2のデバイスに対してページングが行われるということを決定する関連するステップ、及び図7のプロセス305において第2のデバイスに対してページングが行われるということを決定する関連するステップを実行するのを支援するように構成される。送信ユニット603は、その第1のデバイスが、図3のプロセスS6、図4のプロセス105、図6のプロセス205、及び図7のプロセス306を実行するのを支援するように構成される。対応する機能的なモジュールの機能的な説明については、上記の方法の実施形態におけるステップのすべての関連する内容を参照してもよい。本明細書においては、詳細は繰り返しては説明されない。
【０１３６】
受信ユニット601は、第1のデバイスのトランシーバーであってもよい。送信ユニット603は、第1のデバイスのトランシーバーであってもよい。その受信ユニット601及びその送信ユニット603を共に一体化して、第1のデバイスの1つのトランシーバーを形成してもよい。決定ユニット602を一体化して、第1のデバイスのプロセッサとしてもよい。第1のデバイスは、メモリの中のコードを呼び出して、その決定ユニットの上記の機能を実行する。
【０１３７】
図11を参照すると、第1のデバイスは、プロセッサ701、トランシーバー702、メモリ703、及びバス704を含む。トランシーバー702、プロセッサ701、及びメモリ703は、バス704を使用することによって、互いに接続されている。バス704は、周辺機器構成要素相互接続(Peripheral  Component  Interconnect,  PCI)バス又は拡張業界標準アーキテクチャ(Extended  Industry  Standard  Architecture,  EISA)バス等であってもよい。アドレスバス、データバス、又は制御バス等に、それらのバスを分類してもよい。指示を容易にするために、それらのバスは、図11の中で1つのみの太線を使用することによって示されている。一方で、このことは、1つのみのバスが存在する、或いは、1つの種類のバスのみが存在するということを示すものではない。
【０１３８】
本発明によって開示された内容を参照して説明された複数の方法又はアルゴリズムステップは、ハードウェア方式で実装されてもよく、或いは、プロセッサによってソフトウェア命令を実行する方式で実装されてもよい。ソフトウェア命令は、対応するソフトウェアモジュールを含んでもよい。ランダムアクセスメモリ(Random  Access  Memory,  RAM)、フラッシュメモリ、読み出し専用メモリ(Read-Only  Memory,  ROM)、消去可能かつプログラム可能な読み出し専用メモリ(Erasable  Programmable  ROM,  EPROM)、電気的に消去可能かつプログラム可能な読み出し専用メモリ(Electrically  EPROM,  EEPROM)、レジスタ、ハードディスク、取り外し可能なハードディスク、コンパクトディスク読み出し専用メモリ(CD-ROM)、又はこの技術分野でよく知られているいずれかの他の形態の記憶媒体の中に、ソフトウェアモジュールを格納してもよい。1つの例として使用される記憶媒体は、プロセッサに接続され、それによって、そのプロセッサは、その記憶媒体から情報を読み取り、そして、その記憶媒体に情報を書き込むことが可能である。もちろん、記憶媒体は、そのプロセッサの一部であってもよい。プロセッサ及び記憶媒体は、ASICの中に位置していてもよい。加えて、ASICは、コアネットワークインターフェイスデバイスの中に位置していてもよい。もちろん、プロセッサ及び記憶媒体は、コアネットワークインターフェイスデバイスの中に個別の構成要素として存在してもよい。
【０１３９】
複数の実装に関する上記の説明は、利便性のある簡潔な説明のために、図示のためのある1つの例として、上記の複数の機能モジュールの分割を使用するということを当業者が明確に理解することを可能にする。実際の適用においては、上記の複数の機能は、複数の異なるモジュールに割り当てられ、そして、必要に応じて実装することが可能である、すなわち、装置の内部構成が複数の異なる機能モジュールに分割されて、上記の複数の機能のすべて又は一部を実装する。上記の装置の詳細な動作プロセスについては、上記の方法の実施形態における対応するプロセスを参照すべきであり、本明細書においては、詳細はさらに説明されない。
【０１４０】
複数の分離した部分として記載されているユニットは、物理的に分離していてもよく、又は、物理的に分離していなくてもよく、複数のユニットとして示されている部分は、1つ又は複数の物理的なユニットであってもよい、すなわち、1つの場所に位置していてもよく、或いは、複数の異なる場所に分散されていてもよい。実際の要求にしたがって、それらの複数のユニットのうちのいくつか又はすべてを選択して、複数の実施形態にしたがった解決方法の目的を達成してもよい。加えて、本発明の複数の実施形態にしたがった機能的なユニットを一体化して、1つの処理ユニットとしてもよく、或いは、それらの複数のユニットの各々は、物理的に単独で存在していてもよく、2つ又はそれ以上のユニットを一体化して、1つのユニットとしてもよい。その一体化されたユニットは、ハードウェアの形態で実装されてもよく、或いは、ソフトウェア機能ユニットの形態で実装されてもよい。
【０１４１】
一体化されたユニットがソフトウェア機能ユニットの形態で実装され、独立した製品として販売され又は使用される場合に、読み取り可能な記憶媒体の中にその一体化されたユニットを格納してもよい。そのような理解に基づいて、本発明にしたがった複数の技術的解決方法を、本質的に、或いは、先行技術に寄与する部分或いは技術的解決方法のすべて又は一部を、ソフトウェア製品の形態で実装してもよい。ソフトウェア製品は、記憶媒体に格納され、本発明の複数の実施形態にしたがって説明された複数の方法のステップのうちのすべて又は一部を実行するように、(シングルチップマイクロコンピュータ又はチップ等であってもよい)デバイス又はプロセッサ(processor)に指示する複数の命令を含む。上記の記憶媒体は、プログラムコードを格納することが可能であるUSBフラッシュドライブ、取り外し可能なハードディスク、読み取り専用メモリ(ROM,  Read-Only  Memory)、ランダムアクセスメモリ(RAM,  Random  Access  Memory)、磁気ディスク、又はコンパクトディスク等のいずれかの媒体を含む。
【０１４２】
それらの説明は、本発明の特定の実装であるにすぎず、本発明の保護の範囲を限定することを意図するものではない。本発明によって開示されている技術的範囲の中で当業者が容易に考え出すことが可能であるあらゆる変形又は置換は、本発明の保護の範囲に属するものとする。したがって、本発明の保護の範囲は、請求項に記載された発明の保護の範囲に従うものとする。
【手続補正３】
【補正対象書類名】図面
【補正対象項目名】図３
【補正方法】変更
【補正の内容】
【図３】
2019525594.tif 000016
【手続補正４】
【補正対象書類名】図面
【補正対象項目名】図４
【補正方法】変更
【補正の内容】
【図４】
2019525594.tif 000017
【手続補正５】
【補正対象書類名】図面
【補正対象項目名】図５
【補正方法】変更
【補正の内容】
【図５】
2019525594.tif 000018
【国際調査報告】
2019525594.tif 000019
2019525594.tif 000020
2019525594.tif 000021
2019525594.tif 000022